(57)【要約】【課題】  移動端末と接続するアクセスポイントの処理負荷を低減して、無線通信品質の向上を図る。【解決手段】  移動端末１０は、ビーコン信号をスキャンし、捕捉できた周波数のビーコン信号を発信した局へ接続要求を送信する。ビーコン信号発信部２２は、自局の存在を示すビーコン信号を発信する。接続台数管理部２３は、接続完了メッセージにもとづいて、自局に現在接続している移動端末台数である自局接続台数と、他局に現在接続している移動端末台数である他局接続台数とを管理する。接続処理部２４は、接続要求を受信して、自局接続台数と他局接続台数による比較処理を行い、自局接続台数が他局接続台数より少ない場合は、移動端末との接続処理を行って、接続完了時には接続完了メッセージを生成し、自局接続台数が他局接続台数より多い場合は、移動端末との接続処理を拒否する。【選択図】  図１
2006128835.tif 000002
【特許請求の範囲】
【請求項１】
無線信号の通信制御を行う無線通信システムにおいて、
ビーコン信号をスキャンし、捕捉できた周波数のビーコン信号を発信した局へ接続要求を送信する移動端末と、
自局の存在を示す前記ビーコン信号を発信するビーコン信号発信部と、接続完了メッセージにもとづいて、自局に現在接続している移動端末台数である自局接続台数と、他局に現在接続している移動端末台数である他局接続台数と、を管理する接続台数管理部と、前記接続要求を受信して、前記自局接続台数と前記他局接続台数による比較処理を行い、前記自局接続台数が前記他局接続台数より少ない場合は、前記移動端末との接続処理を行って、接続完了時には接続完了メッセージを生成し、前記自局接続台数が前記他局接続台数より多い場合は、前記移動端末との接続処理を拒否する接続処理部と、自局で生成された接続完了メッセージを他局へ通知し、他局から通知された接続完了メッセージを受信する局間通信部と、から構成される無線局と、
を有することを特徴とする無線通信システム。
【請求項２】
前記接続処理部は、前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする請求項１記載の無線通信システム。
【請求項３】
前記接続処理部は、自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする請求項１記載の無線通信システム。
【請求項４】
無線信号の通信制御を行う無線通信システムにおいて、
ビーコン信号をスキャンし、捕捉できた周波数のビーコン信号を発信した局へ接続要求を送信する移動端末と、
自局の存在を示す前記ビーコン信号を発信する第１のビーコン信号発信部と、前記移動端末から新規の接続要求を受信した場合には、新規の接続要求から前記移動端末の識別情報を取得し、かつ前記移動端末の接続を拒否し、他局から接続拒否メッセージが通知された場合には、前記移動端末の接続を拒否し、他局から通知された接続許可メッセージを受信して、かつ前記移動端末からの接続要求を再度受信した場合には、前記移動端末との接続処理を行い、接続完了時には接続完了メッセージを生成する第１の接続処理部と、前記識別情報を他局へ通知し、他局から通知された前記接続許可メッセージ及び前記接続拒否メッセージを受信する第１の局間通信部と、から構成される第１の無線局と、
自局の存在を示す前記ビーコン信号を発信する第２のビーコン信号発信部と、前記第１の無線局から通知された前記識別情報を認識する識別情報認識部と、認識した前記識別情報を含む前記移動端末からの接続要求を、監視時間以内に受信するか否かの判断を行うための監視タイマを稼動する監視タイマ稼動部と、監視時間以内に前記識別情報を含む接続要求を受信した場合には、自局と他局のそれぞれの無線エリアが重複した無線エリア内に前記移動端末が存在するものと判断して、前記第１の無線局へ前記移動端末に対する前記接続拒否メッセージを生成し、かつ前記移動端末の接続処理指示を生成し、監視時間以内に前記識別情報を含む接続要求を受信しない場合には、前記重複した無線エリア内には前記移動端末は存在せず、前記第１の無線局の無線エリア内に前記移動端末が存在するものと判断して、前記第１の無線局へ前記移動端末に対する前記接続許可メッセージを生成し、かつ前記移動端末の接続を拒否する接続判断部と、接続完了メッセージにもとづいて、自局に現在接続している移動端末台数である自局接続台数と、他局に現在接続している移動端末台数である他局接続台数と、を管理する接続台数管理部と、前記接続処理指示を認識した後に、前記自局接続台数と前記他局接続台数による比較処理を行い、前記自局接続台数が前記他局接続台数より少ない場合は、前記移動端末との接続処理を行って、接続完了時には接続完了メッセージを生成し、前記自局接続台数が前記他局接続台数より多い場合は、前記移動端末との接続処理を拒否する第２の接続処理部と、前記第１の無線局から通知された前記識別情報を受信し、前記接続許可メッセージ及び前記接続拒否メッセージを前記第１の無線局へ通知し、自局で生成された接続完了メッセージを前記第１の無線局へ通知し、前記第１の無線局から通知された接続完了メッセージを受信する第２の局間通信部と、から構成される第２の無線局と、
を有することを特徴とする無線通信システム。
【請求項５】
前記監視タイマ稼動部は、現在接続している移動端末台数に応じて、動的に監視時間を増減させることを特徴とする請求項４記載の無線通信システム。
【発明の詳細な説明】
【技術分野】
【０００１】
本発明は、無線通信システムに関し、特に無線ＬＡＮ（Local Area Network）における無線信号の通信制御を行う無線通信システムに関する。
【背景技術】
【０００２】
近年、電波や赤外線等の無線で通信を行う無線ＬＡＮの普及が進み、市場は拡大し続けている。無線ＬＡＮは、有線ケーブルを使わないＬＡＮであるため、ケーブル敷設の手間が省け、端末の設置や移動が自由に行えるので、企業だけでなく一般家庭においてもニーズは高まっており、今後さらなる発展が期待されている。
【０００３】
無線ＬＡＮは、IEEE（the Institute of Electrical and Electronic Engineers）802.11で規格が統一化され、IEEE802.11の拡張仕様として、IEEE802.11a、IEEE802.11b、IEEE802.11gの３つの規格がある。
【０００４】
IEEE802.11aは、最大５４Mbpsの速度で通信できる新しい規格であり、５GHz帯の周波数帯域を使用している。IEEE802.11bは、無線ＬＡＮの標準規格であって、現在最も多く使用されており、最大１１Mbpsの速度で通信でき、２．４GHz帯の周波数帯域を使用している。
【０００５】
また、IEEE802.11gは、IEEE802.11bと同じ２．４GHz帯の周波数帯域を使用しているが、およそ５倍の約５４Mbpsの高速通信が可能である。さらに、IEEE802.11aと違って、IEEE802.11bと互換性があるため、アンテナや無線にかかわる部分もIEEE802.11bと同様に設計できる。これらの理由でIEEE802.11gは、今後の主流となる規格として注目されており、IEEE802.11g対応の製品開発が進んでいる。
【０００６】
無線ＬＡＮでは、アクセスポイントと移動端末とが電波でつながれることで通信が行われる。ここで、無線ＬＡＮで使われる“アクセスポイント”とは、ＬＡＮにつないである中継器（無線局）のことを指す。
【０００７】
また、アクセスポイントは、自身の存在を示すために、ビーコン（Beacon）信号を発し、移動端末は、ビーコン信号のスキャン（探索）を行う。IEEE802.11ｇ準拠の無線ＬＡＮ接続においては、ビーコン信号は、チャネル（ＣＨ）１〜１３までＣＨ毎に周波数が決められており、各アクセスポイントは自身に設定された１つのＣＨのビーコン信号をエア中に発する。
【０００８】
そして、移動端末は、ＣＨ１〜１３まで順にビーコン信号をスキャンして、あるＣＨの周波数を受信すると、そのＣＨでロック（固定）し、スキャン動作を停止して、該当のアクセスポイントと接続する。
【０００９】
図１１は無線ＬＡＮの接続動作を示す図である。アクセスポイント１０１は、ＣＨ１のビーコン信号を発している。移動端末１１４は、ＣＨ１〜ＣＨ１３まで順にスキャン動作をしながら移動し、アクセスポイント１０１の無線エリアに入る。
【００１０】
移動端末１１４は、ＣＨ１を受信（捕捉）してアクセスポイント１０１を検出すると、スキャン動作を停止して、ＣＨ１の送信元のアクセスポイント１０１と無線接続する。なお、アクセスポイント１０１は、すでに移動端末１１１〜１１３と無線接続しているとすれば、合計４台の移動端末１１１〜１１４と無線接続することになる。
【００１１】
無線ＬＡＮ接続に関する従来技術としては、移動端末の方から接続すべきアクセスポイントを選択する技術が提案されている（例えば、特許文献１）。
【特許文献１】特開２００２−５１３６８号公報（段落番号〔００２５〕、〔００２６〕，第１図）
【発明の開示】
【発明が解決しようとする課題】
【００１２】
ＣＨ（周波数）の異なるビーコン信号を発する複数のアクセスポイントが設置する場合、設置状況によっては、複数のＣＨが重なる無線エリアが存在することになる。この場合、その重なった無線エリアに移動端末が存在すると、移動端末の接続が同じアクセスポイント（ＣＨ）に集中するおそれがあり、アクセスポイント内の処理負荷が増大するといった問題があった。
【００１３】
図１２〜図１４は問題点を説明するための図である。図１２に対し、２台のアクセスポイント１０１、１０２が設置されており、アクセスポイント１０１は、ＣＨ１のビーコン信号を発し、アクセスポイント１０２は、ＣＨ２のビーコン信号を発する。また、アクセスポイント１０１のＣＨ１の無線エリアＢ１と、アクセスポイント１０２のＣＨ２の無線エリアＢ２の他に、無線エリアＢ１、Ｂ２が重なる無線エリアＢ３が存在している。
【００１４】
移動端末１１１〜１１４は、すでにＣＨ１でアクセスポイント１０１に接続し、移動端末１１５、１１６は、すでにＣＨ２でアクセスポイント１０２に接続しているとする。また、無線エリアＢ３の重複領域内の移動端末１１７、１１８は、アクセスポイント１０１、１０２のどちらにも接続可能である。
【００１５】
ここで、図１３のように、移動端末１１７、１１８がアクセスポイント１０２に接続するならば、アクセスポイント１０１、１０２の処理負荷は均等となり、例えば、２Mbpsのデータを、アクセスポイント１０１、１０２から移動端末１１１〜１１８のそれぞれに送信する場合には、アクセスポイント１０１、１０２では、８Mbps分のデータ送信をそれぞれ均等に行うことになる。
【００１６】
しかし、図１４のように、移動端末１１７、１１８が、アクセスポイント１０１に接続するならば、アクセスポイント１０１の処理負荷が大きくなり、２Mbpsのデータを、アクセスポイント１０１、１０２から移動端末１１１〜１１８のそれぞれに送信する場合には、アクセスポイント１０１では１２Mbps、アクセスポイント１０２では４Mbps分のデータ送信となる。
【００１７】
このように、従来では、移動端末の接続の仕方によって、一方のアクセスポイントでは処理負荷が増大し、他方のアクセスポイントでは処理負荷に余裕があるといった接続形態になるおそれがあり、非効率的な運用がなされてしまうといった問題があった。
【００１８】
一方、上記の従来技術（特開２００２−５１３６８号公報）では、移動端末がアクセスポイントのデータ通信のトラフィック量を検出し、トラフィック量の少ないアクセスポイントを選択する制御を行って、アクセスポイントの処理負荷の軽減を図っている。しかし、このような制御では、接続してくる移動端末にアクセスポイントの選択機能を持たせているため、一般市販の移動端末（パソコン）全部への機能追加をしなければならず、必ずしも最適な解決策とはいえない。
【００１９】
本発明はこのような点に鑑みてなされたものであり、移動端末と接続するアクセスポイントの処理負荷を低減して、無線通信品質の向上を図った無線通信システムを提供することを目的とする。
【課題を解決するための手段】
【００２０】
本発明では上記課題を解決するために、図１に示すような、無線信号の通信制御を行う無線通信システム１において、ビーコン信号をスキャンし、捕捉できた周波数のビーコン信号を発信した局へ接続要求を送信する移動端末１０と、自局の存在を示すビーコン信号を発信するビーコン信号発信部２２と、接続完了メッセージにもとづいて、自局に現在接続している移動端末台数である自局接続台数と、他局に現在接続している移動端末台数である他局接続台数と、を管理する接続台数管理部２３と、接続要求を受信して、自局接続台数と他局接続台数による比較処理を行い、自局接続台数が他局接続台数より少ない場合は、移動端末との接続処理を行って、接続完了時には接続完了メッセージを生成し、自局接続台数が他局接続台数より多い場合は、移動端末との接続処理を拒否する接続処理部２４と、自局で生成された接続完了メッセージを他局へ通知し、他局から通知された接続完了メッセージを受信する局間通信部２５と、から構成される無線局２０と、を有することを特徴とする無線通信システム１が提供される。
【００２１】
ここで、移動端末１０は、ビーコン信号をスキャンし、捕捉できた周波数のビーコン信号を発信した局へ接続要求を送信する。ビーコン信号発信部２２は、自局の存在を示すビーコン信号を発信する。接続台数管理部２３は、接続完了メッセージにもとづいて、自局に現在接続している移動端末台数である自局接続台数と、他局に現在接続している移動端末台数である他局接続台数とを管理する。接続処理部２４は、接続要求を受信して、自局接続台数と他局接続台数による比較処理を行い、自局接続台数が他局接続台数より少ない場合は、移動端末との接続処理を行って、接続完了時には接続完了メッセージを生成し、自局接続台数が他局接続台数より多い場合は、移動端末との接続処理を拒否する。局間通信部２５は、自局で生成された接続完了メッセージを他局へ通知し、他局から通知された接続完了メッセージを受信する。
【発明の効果】
【００２２】
本発明の無線通信システムは、移動端末では、ビーコン信号をスキャンし、捕捉できた周波数のビーコン信号を発信した局へ接続要求を送信し、無線局では、自局に現在接続している移動端末台数である自局接続台数と、他局に現在接続している移動端末台数である他局接続台数とを管理し、接続要求を受信した後、自局接続台数と他局接続台数による比較処理を行って、移動端末との接続処理を行う構成とした。これにより、移動端末と接続する無線局の処理負荷を軽減して、無線通信品質の向上を図ることが可能になる。
【発明を実施するための最良の形態】
【００２３】
以下、本発明の実施の形態を図面を参照して説明する。図１は無線通信システムの原理図である。無線通信システム１は、移動端末１０、無線局２０−１、２０−２を含み、無線信号の通信制御を行うシステムである。
【００２４】
無線局２０−１、２０−２は、有線ネットワークＮＷを介して互いに接続し、移動端末１０と無線局２０−１または無線局２０−２は無線接続する。なお、無線局２０−１、２０−２は、実際には両方とも同じ機能を有するものである。また、以降では移動端末をＳＴＡ、無線局をＡＰ（アクセスポイント）と呼ぶ。
【００２５】
ＳＴＡ１０は、ＣＨ１〜１３まで順にビーコン信号をスキャンして、あるＣＨの周波数を捕捉すると、そのＣＨでロックし、スキャン動作を停止する。そして、捕捉できた周波数のビーコン信号を発信したＡＰへ接続要求を送信する。
【００２６】
ＡＰ２０−１は、Ｉ／Ｆ部２１、ビーコン信号発信部２２、接続台数管理部２３、接続処理部２４、局間通信部２５から構成される。Ｉ／Ｆ部２１は、ＳＴＡ１０とＡＰ２０−１との無線ＬＡＮインタフェース制御を行う。ビーコン信号発信部２２は、自局の存在を示すビーコン信号を発信する（ＣＨ１〜１３の内の自局に定められた１つのＣＨのビーコン信号を発信する）。ビーコン信号は、Ｉ／Ｆ部２１を介してエア中に放射される。
【００２７】
接続台数管理部２３は、接続完了メッセージにもとづいて、自局に現在接続している移動端末台数である自局接続台数と、他局に現在接続している移動端末台数である他局接続台数とを管理する。
【００２８】
接続完了メッセージは、ＳＴＡ１０との接続が完了したときに、接続処理部２４で生成されるメッセージである。接続台数管理部２３は、自局（ＡＰ２０−１）で生成された接続完了メッセージを受信すると、自局接続台数をカウントアップして記憶する。また、他局（ＡＰ２０−２）で生成されて送信された接続完了メッセージを受信すると、他局接続台数をカウントアップして記憶する。
【００２９】
一方、ＳＴＡ１０との接続が切断したときには、接続処理部２４では接続切断メッセージが生成される。接続台数管理部２３は、自局（ＡＰ２０−１）で生成された接続切断メッセージを受信すると、自局接続台数をカウントダウンして記憶する。また、他局（ＡＰ２０−２）で生成されて送信された接続切断メッセージを受信すると、他局接続台数をカウントダウンして記憶する。
【００３０】
接続処理部２４は、ＳＴＡ１０からの接続要求をＩ／Ｆ部２１を介して受信して、自局接続台数と他局接続台数による比較処理を行う。そして、自局接続台数が他局接続台数より少ない場合は、ＳＴＡ１０との接続処理を行って、接続完了時には接続完了メッセージを生成する。また、自局接続台数が他局接続台数より多い場合は、ＳＴＡ１０との接続処理を拒否する。なお、接続処理部２４は、ＳＴＡ１０の接続の切断を認識した場合は、接続切断メッセージを生成する。
【００３１】
局間通信部２５は、有線ネットワークＮＷを介して、ＡＰ２０−１、２０−２間で通信を行う機能を有し、例えば、自局（ＡＰ２０−１）で生成された接続完了メッセージを他局（ＡＰ２０−２）へ通知し、またはＡＰ２０−２から通知された接続完了メッセージを受信する（接続完了メッセージと同様に、接続切断メッセージのやりとりも行われる）。
【００３２】
次に無線通信システム１の動作について説明する。図２は無線通信システム１の全体動作を示すフローチャートである。
〔Ｓ１〕ＳＴＡ１０は、ＡＰ２０−１からのビーコン信号を捕捉し、接続要求をＡＰ２０−１へ送信する。
【００３３】
〔Ｓ２〕接続処理部２４は、Ｉ／Ｆ部２１を介して、接続要求を受信する。受信後、接続台数管理部２３から、ＡＰ２０−１が現在接続しているＳＴＡ接続台数（自局接続台数）と、ＡＰ２０−２が現在接続しているＳＴＡ接続台数（他局接続台数）とを読み出して、比較処理を行う。
【００３４】
なお、接続台数管理部２３は、ＡＰ２０−２から送信された接続完了メッセージを、有線ネットワークＮＷ及び局間通信部２５を介して受信して、ＡＰ２０−２に現在接続しているＳＴＡの接続台数を、他局接続台数として記憶する。
【００３５】
〔Ｓ３〕ＡＰ２０−２の他局接続台数よりＡＰ２０−１の自局接続台数が少ない場合はステップＳ４へいき、ＡＰ２０−２の他局接続台数よりＡＰ２０−１の自局接続台数が多い場合はステップＳ７へいく。
【００３６】
〔Ｓ４〕接続処理部２４は、ＳＴＡ１０の接続処理を実行する。また、接続完了時には接続完了メッセージを生成し、接続完了メッセージを接続台数管理部２３及び局間通信部２５へ送信する。
【００３７】
〔Ｓ５〕接続台数管理部２３は、接続完了メッセージを受信し、ＡＰ２０−１の現在の接続台数をカウントアップして記憶する（ＡＰ２０−１における接続台数の更新）。
〔Ｓ６〕局間通信部２５は、有線ネットワークＮＷを介して、接続完了メッセージをＡＰ２０−２へ送信する。ＡＰ２０−２は、接続完了メッセージを受信すると、ＡＰ２０−２内部の接続台数管理部は、ＡＰ２０−１の現在の接続台数をカウントアップして記憶する（ＡＰ２０−２における接続台数の更新）。
【００３８】
〔Ｓ７〕接続処理部２４は、ＳＴＡ１０の接続処理を拒否し、接続拒否をＳＴＡ１０へ送信する。
〔Ｓ８〕ＳＴＡ１０は、ＡＰ２０−１からの接続拒否を受信すると、あらたな接続先を見つけるためスキャン動作を開始して移動していく。そして、ＡＰ２０−２の無線エリアに入ると、ＡＰ２０−２において、ＡＰ２０−１で行われた同様の接続制御が行われる。
【００３９】
次に接続処理部２４で行う比較処理について説明する。ＡＰ２０−１の接続処理部２４は、自局接続台数と他局接続台数との差を示す接続台数差（＝自局接続台数−他局接続台数）と、しきい値とを含む比較テーブルを有し、接続台数差としきい値との比較を行って、ＳＴＡの接続可否を行う。なお、しきい値は、接続台数差に応じて、ＡＰ２０−１があらたに接続可能な台数を表す値に動的に設定されるものである。
【００４０】
図３は比較テーブルを示す図である。比較テーブルＴ１は、接続台数差としきい値との項目から構成される。この比較テーブルＴ１は、接続処理部２４が接続台数差を算出し、この算出値に応じてしきい値が動的に設定されることで、接続処理部２４内で作成されるテーブルである。
【００４１】
図中、接続台数差が−３以上ということは、他局であるＡＰ２０−２の現在の接続台数は、自局のＡＰ２０−１の現在の接続台数よりも３台以上多くＳＴＡが接続していることを表している。
【００４２】
ここで、接続台数差が−３以上であったとき、しきい値は４なので、−３と４とを比較すると、−３＜４であり、しきい値よりも接続台数差は小さい。しきい値よりも接続台数差が小さい場合には、ＳＴＡの接続処理が行われる。
【００４３】
また、この場合、接続台数差（−３以上）に対応するしきい値には４が設定されているが、この４という値は、接続台数差が−３以上のとき、ＡＰ２０−１にはあと４台のＳＴＡが接続できることを表している（３台でＡＰ２０−１と同等の数の接続となるが、１台余分に接続可能としているので４にしている）。
【００４４】
次に接続台数差が０の場合について見ると、接続台数差が０ということは、ＡＰ２０−１とＡＰ２０−２には、現在同じ数のＳＴＡが接続していることになる。接続台数差が０であったとき、しきい値は１なので、０（接続台数差）＜１（しきい値）であるから、しきい値よりも接続台数差は小さく、この場合には、ＳＴＡの接続処理が行われる。また、しきい値が１であるから、接続台数差が０のとき、ＡＰ２０−１にはあと１台のＳＴＡが接続可能であることがわかる。
【００４５】
次に接続台数差が２の場合について見ると、接続台数差が２ということは、自局接続台数−他局接続台数＝２なので、ＡＰ２０−１の現在の自局接続台数は、ＡＰ２０−２の接続台数よりも２台多くＳＴＡが接続していることを表している。
【００４６】
ここで、接続台数差が２であったとき、しきい値は０なので、２（接続台数差）＞０（しきい値）であるから、しきい値よりも接続台数差は大きい。しきい値よりも接続台数差が大きい場合には、ＳＴＡの接続処理は行われない。また、しきい値が０であるから、このことからもＡＰ２０−１にはあらたなＳＴＡは接続されないことがわかる。
【００４７】
ここで、上記で説明したしきい値は、比較処理に用いられるだけでなく、自局があらたに接続可能なＳＴＡ接続台数の値を表しているという特徴を持つので、例えば、ネットワーク管理者がＡＰに対してあと何台のＳＴＡが接続可能であるかを知りたい場合などに、ＡＰ内部で自律的に設定されたしきい値を見ることで即座に知ることが可能になる。
【００４８】
図４は接続処理部２４の接続処理動作を示すフローチャートである。
〔Ｓ１１〕自局接続台数と他局接続台数を接続台数管理部２３から読み取り、接続台数差（＝自局接続台数−他局接続台数）を求める。
【００４９】
〔Ｓ１２〕接続台数差に応じたしきい値を動的に設定し、比較テーブルＴ１を作成する。
〔Ｓ１３〕接続台数差としきい値を比較する。しきい値よりも接続台数差が小さければステップＳ１４へ、しきい値よりも接続台数差が大きければステップＳ１５へいく。
【００５０】
〔Ｓ１４〕ＳＴＡの接続処理を行う。また、接続完了時は接続完了メッセージを生成する。
〔Ｓ１５〕ＳＴＡの接続を拒否する。
【００５１】
このような接続処理を行うことで、ＡＰ２０−１、２０−２には、互いにほぼ同数のＳＴＡが接続するようになり、ＡＰ２０−１、２０−２の処理負荷が平均化されることになる。
【００５２】
次に接続処理部２４で行う比較処理の変形例について説明する。上記の図３、図４で上述した比較処理では、ＡＰ２０−１、２０−２の接続台数差のみを考慮してＳＴＡの接続可否を決定したが、変形例の場合では、現在接続しているＳＴＡ接続台数も考慮して比較処理を行う。
【００５３】
ここで、ＡＰ２０−１の処理負荷が限界値に近づくような多数のＳＴＡが、ＡＰ２０−１にすでに接続しているような場合には、たとえそのときのＡＰ２０−１、２０−２の接続台数差がしきい値よりも小さな値であったとしても、ＡＰ２０−１にはあらたなＳＴＡ１０が接続されるべきではない。
【００５４】
したがって、変形例の比較処理では、このようなことを解決するために、接続台数差及びＡＰ２０−１が現在接続しているＳＴＡ接続台数に応じて、ＳＴＡ１０の接続可否の決定を行う。
【００５５】
図５は比較テーブルを示す図である。比較テーブルＴ２は、ＡＰ２０−１に現在接続しているＳＴＡの総接続数、接続台数差及びしきい値の項目から構成される。この比較テーブルＴ２は、ＳＴＡの総接続数毎に、接続処理部２４で算出された接続台数差に応じてしきい値が動的に設定されることで、接続処理部２４内で作成されるテーブルである。
【００５６】
図に示す比較テーブルＴ２は、現在接続しているＳＴＡの総接続数が５台未満、５台〜１０台、１１台〜２０台の３つに場合分けをした例を示しており、それぞれの総接続数に応じての接続台数差によるしきい値が設定される。
【００５７】
ここで、接続台数差が−３以上の場合（他局のＡＰ２０−２の現在の接続台数が、自局のＡＰ２０−１の現在の接続台数よりも３台以上多くＳＴＡが接続している場合）について見ると、総接続数が５台未満のとき、しきい値は４となっており、ＡＰ２０−１にはさらに４台のＳＴＡが接続可能である。
【００５８】
また、総接続数が５台〜１０台のときの接続台数差が−３以上の場合、しきい値は３となっており、ＡＰ２０−１にはさらに３台のＳＴＡが接続可能である。すなわち、総接続数が５台〜１０台の場合には、５台未満の場合と比べてＡＰ２０−１の処理負荷が大きいので、しきい値を小さく設定して、５台未満のときよりも接続可能台数を少なく設定している。
【００５９】
さらに、総接続数が１１台〜２０台のときの接続台数差が−３以上の場合、しきい値は２となっており、ＡＰ２０−１には２台のＳＴＡが接続可能である。すなわち、総接続数が１１台〜２０台の場合には、５台〜１０台の場合と比べてＡＰ２０−１の処理負荷がさらに大きいので、しきい値を小さくて、５台〜１０台のときよりも接続可能台数を少なく設定している。
【００６０】
なお、比較テーブルＴ２を用いた接続処理については、総接続数に応じた接続台数差としきい値との組み合わせが選ばれて、図３で上述した処理と同様な接続処理が行われる。
図６は接続処理部２４の接続処理動作を示すフローチャートである。比較テーブルＴ２を用いての接続処理の動作フローである。
【００６１】
〔Ｓ２１〕自局接続台数と他局接続台数を接続台数管理部２３から読み取り、接続台数差（＝自局接続台数−他局接続台数）を求める。
〔Ｓ２２〕総接続数毎に、接続台数差に応じたしきい値を動的に設定し、比較テーブルＴ２を作成する。
【００６２】
〔Ｓ２３〕現在接続しているＳＴＡ接続台数に対応する、接続台数差としきい値とを比較する。しきい値よりも接続台数差が小さければステップＳ２４へ、しきい値よりも接続台数差が大きければステップＳ２５へいく。
【００６３】
〔Ｓ２４〕ＳＴＡの接続処理を行う。接続完了時は接続完了メッセージを生成する。
〔Ｓ２５〕ＳＴＡの接続を拒否する。
このように、現在接続しているＳＴＡの総接続数を考慮して接続処理を行うことで、ＡＰ２０−１の処理負荷の範囲内に収まるように、ＡＰ２０−１にＳＴＡが接続するようになる。
【００６４】
次にＳＴＡ１０の識別情報を認識してＳＴＡ１０の接続可否を行う無線通信システムについて説明する。図７は無線通信システムの構成を示す図である。無線通信システム２は、ＳＴＡ１０、第１の無線局（ＡＰ３０）、第２の無線局（ＡＰ４０）を含み、無線信号の通信制御を行うシステムである。
【００６５】
ＡＰ３０、４０は、有線ネットワークＮＷを介して互いに接続し、ＳＴＡ１０とＡＰ３０またはＡＰ４０は無線接続する。なお、図ではＡＰ３０、４０は互いに異なる構成要素を持つように記しているが、実際には両方とも同じ機能を有するものである。
【００６６】
ＡＰ３０は、Ｉ／Ｆ部３１、ビーコン信号発信部３２（第１のビーコン信号発信部に該当）、接続台数管理部３３、接続処理部３４（第１の接続処理部に該当）、局間通信部３５（第１の局間通信部に該当）から構成される。なお、Ｉ／Ｆ部３１、ビーコン信号発信部３２及び接続台数管理部３３は、図１で上述した構成要素の動作と同じなので説明は省略する。
【００６７】
接続処理部３４は、ＳＴＡ１０から新規の接続要求を受信した場合には、新規の接続要求からＳＴＡ１０の識別情報を取得する。識別情報にはＳＴＡ１０のＭＡＣ（Media Access Control）アドレスを使用する。接続処理部３４は、ＳＴＡ１０の新規の接続要求から、ＭＡＣアドレスを取得したら、ＳＴＡ１０の接続は一旦拒否する。
【００６８】
また、接続処理部３４は、ＡＰ４０から接続拒否メッセージが通知された場合もＳＴＡ１０の接続を拒否する。さらに、ＡＰ４０から通知された接続許可メッセージを受信し、かつＳＴＡ１０からの接続要求を再度受信した場合には、ＳＴＡ１０との接続処理を行い、接続完了時には接続完了メッセージを生成する（ＳＴＡ１０の接続の切断を認識した場合は、接続切断メッセージを生成する）。
【００６９】
局間通信部３５は、有線ネットワークＮＷを介してＡＰ４０と通信を行い、接続処理部３４で認識されたＭＡＣアドレスをＡＰ４０へ通知する。また、ＡＰ４０から通知された接続許可メッセージ及び接続拒否メッセージを受信する（接続完了メッセージと同様に、接続切断メッセージのやりとりも行われる）。
【００７０】
ＡＰ４０は、Ｉ／Ｆ部４１、ビーコン信号発信部４２（第２のビーコン信号発信部に該当）、接続台数管理部４３、接続処理部４４（第２の接続処理部に該当）、局間通信部４５（第２の局間通信部に該当）、識別情報認識部４６、監視タイマ稼動部４７、接続判断部４８から構成される。なお、Ｉ／Ｆ部４１、ビーコン信号発信部４２及び接続台数管理部４３は、図１で上述した構成要素の動作と同じなので説明は省略する。
【００７１】
識別情報認識部４６は、ＡＰ３０から通知されたＳＴＡ１０のＭＡＣアドレスを受信し認識する。監視タイマ稼動部４７は、認識したＭＡＣアドレスを含むＳＴＡ１０からの接続要求を、監視時間以内に受信するか否かの判断を行うための監視タイマを稼動する。
【００７２】
接続判断部４８は、監視時間以内に、識別情報認識部４６が認識したＭＡＣアドレスを含む接続要求を、Ｉ／Ｆ部４１を介して受信した場合には、ＡＰ３０、４０のそれぞれの無線エリアが重複した無線エリア内にＳＴＡ１０が存在するものと判断する。そして、ＡＰ３０へＳＴＡ１０に対する接続拒否メッセージを生成し、かつＡＰ４０で接続を行うためにＳＴＡ１０の接続処理指示を生成する。
【００７３】
また、接続判断部４８は、監視時間以内に、識別情報認識部４６が認識したＭＡＣアドレスを含む接続要求を、Ｉ／Ｆ部４１を介して受信しない場合には、重複した無線エリア内にはＳＴＡ１０は存在せず、ＡＰ３０の無線エリア内にＳＴＡ１０が存在するものと判断する。そして、ＡＰ３０へのＳＴＡ１０に対する接続許可メッセージを生成し、かつＡＰ４０ではＳＴＡ１０の接続を拒否する。
【００７４】
接続処理部４４は、接続判断部４８で生成された接続処理指示を認識した後に、ＡＰ３０の自局接続台数とＡＰ４０の他局接続台数による比較処理を行い、接続処理を行う。この比較処理及び接続処理は、無線通信システム１の接続処理部２４で行われる処理（図３〜図６）と同様なので説明は省略する。
【００７５】
局間通信部４５は、有線ネットワークＮＷを介してＡＰ４０と通信を行い、接続許可メッセージ及び接続拒否メッセージをＡＰ３０へ通知する。また、ＡＰ４０で生成された接続完了メッセージをＡＰ３０へ通知し、ＡＰ３０から通知された接続完了メッセージやＭＡＣアドレスを受信する（接続完了メッセージと同様に、接続切断メッセージのやりとりも行われる）。
【００７６】
次に図８、図９を用いて無線通信システム２の動作について説明する。図８は無線通信システム２の全体動作を示すフローチャートである。また、図９はＳＴＡ１０の移動の様子を示す図である。図８の動作フローのステップ番号を図９の対応する箇所に示す。
【００７７】
図９に対し、ＡＰ３０、４０は、有線ネットワークＮＷで接続する。また、ＡＰ３０が発するＣＨ１を受信できる領域を無線エリアＡ１、ＡＰ４０が発するＣＨ２を受信できる領域を無線エリアＡ２、無線エリアＡ１、Ａ２が重複する領域を無線エリアＡ３とする。
【００７８】
〔Ｓ３１〕ＳＴＡ１０は、スキャン動作中、ＡＰ３０からのビーコン信号（ＣＨ１）を捕捉すると接続要求をＡＰ３０へ送信する。
〔Ｓ３２〕ＡＰ３０の接続処理部３４は、ＳＴＡ１０からの接続要求を受信すると、接続要求に含まれるＳＴＡ１０のＭＡＣアドレスを取得し、ＡＰ４０へＭＡＣアドレスを送信する。また、ＡＰ３０は、ＳＴＡ１０の接続を一旦拒否する。
【００７９】
〔Ｓ３３〕ＡＰ３０との接続を拒否されたＳＴＡ１０は、スキャン動作を再開し移動する。
〔Ｓ３４〕ＡＰ４０において、識別情報認識部４６でＡＰ３０から送信されたＭＡＣアドレスが認識されると、監視タイマ稼動部４７は、監視時間を刻む監視タイマを稼動する。
【００８０】
〔Ｓ３５〕ＡＰ４０の接続判断部４８は、監視時間以内に、認識済みのＭＡＣアドレスを含む接続要求を受信するか否かを判断する。監視時間以内に受信した場合はステップＳ３６へ、監視時間以内に受信しない場合はステップＳ３８へいく。
【００８１】
〔Ｓ３６〕監視時間内に接続要求を受信した場合、接続判断部４８は、無線エリアＡ３内にＳＴＡ１０が存在すると判断する。すなわち、監視時間内に、認識済みのＭＡＣアドレスを含む接続要求を受信したということは、ＡＰ３０で接続を拒否されたＳＴＡ１０は、あらたな接続先を探して移動し、ＡＰ４０が発するＣＨ２のビーコン信号を受信できる無線エリアＡ３まで到達したとみなしてよい。
【００８２】
したがって、この場合は、接続判断部４８は、ＡＰ４０でＳＴＡ１０を接続するための接続処理指示を生成する。また、ＡＰ３０へはＳＴＡ１０を接続しないように接続拒否メッセージを生成し、接続拒否メッセージは、局間通信部４５によりＡＰ３０へ送信される。
【００８３】
〔Ｓ３７〕ＡＰ４０の接続処理部４４は、接続判断部４８で生成された接続処理指示を受信すると、図３〜図６で上述したような接続処理を行う。そして、接続完了時には接続完了メッセージを生成する（接続完了メッセージは、接続台数管理部４３へ通知されて、自局（ＡＰ４０）接続台数がカウントアップされる。また、接続完了メッセージはＡＰ３０に対しても通知される）。
【００８４】
また、ＡＰ３０の接続処理部３４は、ＡＰ４０から通知された接続拒否メッセージを受信すると、ＳＴＡ１０の接続を拒否する（ＳＴＡ１０からの接続要求を受けた場合であっても、ＡＰ４０の方で接続処理が行われるので）。
【００８５】
〔Ｓ３８〕監視時間内に接続要求を受信しない場合、接続判断部４８は、無線エリアＡ３内にＳＴＡ１０が存在しないものと判断する。すなわち、監視時間内に、認識済みのＭＡＣアドレスを含む接続要求を受信しないということは、ＡＰ３０で一旦接続拒否されたＳＴＡ１０は、あらたな接続先を探して移動しているが、まだＡＰ４０が発するＣＨ２のビーコン信号を受信できる無線エリアＡ３に到達していないとみなしてよい。
【００８６】
したがって、このような場合は、ＡＰ４０の接続判断部４８は、ＡＰ３０側でＳＴＡ１０の接続がなされるように、ＡＰ３０へＳＴＡ１０に対する接続許可メッセージを生成し、接続許可メッセージは局間通信部４５によりＡＰ３０へ送信される。また、ＡＰ４０ではＳＴＡ１０の接続を拒否する（ＳＴＡ１０からの接続要求を受けた場合であっても、ＡＰ３０の方で接続処理が行われるので）。
【００８７】
〔Ｓ３９〕ＡＰ３０は、ＡＰ４０から通知された接続許可メッセージを受信し、かつＳＴＡ１０からの接続要求を再度受信した場合には、ＳＴＡ１０との接続処理を行い、接続完了時には接続完了メッセージを生成する（接続完了メッセージは、接続台数管理部３３へ通知されて、自局（ＡＰ３０）接続台数がカウントアップされる。また、接続完了メッセージはＡＰ４０に対しても通知される）。
【００８８】
図１０は監視時間テーブルを示す図である。監視タイマ稼動部４７は、監視時間テーブルＴ３を有する。監視時間テーブルＴ３は、ＡＰ４０に現在接続しているＳＴＡ接続台数である総接続数と、監視時間（ｓ）との項目を持つ。
【００８９】
図からわかるように、総接続数が多くなるほど、監視時間を増加させる。これは、ＡＰ４０に現在接続するＳＴＡ接続台数が多いほど、ＡＰ４０内の処理負荷が増えるため、新規に接続すべきＳＴＡの接続処理が待たされる可能性があるからである。したがって、監視タイマ稼動部４７は、総接続数が多くなるほど、監視時間を増加させ、総接続数に応じて監視時間を設定し、タイマを起動させる。
【００９０】
以上説明したように、無線通信システム１により、片方のＡＰだけに無線ＬＡＮ接続が集中することが無くなり、ＡＰ間の処理負荷が平均化され、ＡＰの処理負荷の軽減化が可能になる。
【００９１】
また、無線通信システム２では、無線エリアの重なった地点のＳＴＡの判別を行うことで、無線ＬＡＮエリアが重なったエリアのＳＴＡに対してのみ、図３〜図６で上述したような接続調整の処理を行うことができ、より正確にＡＰ間の処理負荷の平均化が実現できる。
【００９２】
（付記１）  無線信号の通信制御を行う無線通信システムにおいて、
ビーコン信号をスキャンし、捕捉できた周波数のビーコン信号を発信した局へ接続要求を送信する移動端末と、
自局の存在を示す前記ビーコン信号を発信するビーコン信号発信部と、接続完了メッセージにもとづいて、自局に現在接続している移動端末台数である自局接続台数と、他局に現在接続している移動端末台数である他局接続台数と、を管理する接続台数管理部と、前記接続要求を受信して、前記自局接続台数と前記他局接続台数による比較処理を行い、前記自局接続台数が前記他局接続台数より少ない場合は、前記移動端末との接続処理を行って、接続完了時には接続完了メッセージを生成し、前記自局接続台数が前記他局接続台数より多い場合は、前記移動端末との接続処理を拒否する接続処理部と、自局で生成された接続完了メッセージを他局へ通知し、他局から通知された接続完了メッセージを受信する局間通信部と、から構成される無線局と、
を有することを特徴とする無線通信システム。
【００９３】
（付記２）  前記接続処理部は、前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記１記載の無線通信システム。
【００９４】
（付記３）  前記接続処理部は、自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記１記載の無線通信システム。
【００９５】
（付記４）  無線信号の通信制御を行う無線局において、
自局の存在を示すビーコン信号を発信するビーコン信号発信部と、
接続完了メッセージにもとづいて、自局に現在接続している移動端末台数である自局接続台数と、他局に現在接続している移動端末台数である他局接続台数と、を管理する接続台数管理部と、
移動端末から送信された接続要求を受信して、前記自局接続台数と前記他局接続台数による比較処理を行い、前記自局接続台数が前記他局接続台数より少ない場合は、前記移動端末との接続処理を行って、接続完了時には接続完了メッセージを生成し、前記自局接続台数が前記他局接続台数より多い場合は、前記移動端末との接続処理を拒否する接続処理部と、
自局で生成された接続完了メッセージを他局へ通知し、他局から通知された接続完了メッセージを受信する局間通信部と、
を有することを特徴とする無線局。
【００９６】
（付記５）  前記接続処理部は、前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記４記載の無線局。
【００９７】
（付記６）  前記接続処理部は、自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記４記載の無線局。
【００９８】
（付記７）  無線ＬＡＮ上で、移動端末と無線局との無線接続を行う無線ＬＡＮ接続方法において、
移動端末は、
ビーコン信号をスキャンし、捕捉できた周波数のビーコン信号を発信した局へ接続要求を送信し、
無線局は、
自局の存在を示す前記ビーコン信号を発信し、
接続完了メッセージにもとづいて、自局に現在接続している移動端末台数である自局接続台数と、他局に現在接続している移動端末台数である他局接続台数と、を管理し、
前記接続要求を受信して、前記自局接続台数と前記他局接続台数による比較処理を行い、前記自局接続台数が前記他局接続台数より少ない場合は、前記移動端末との接続処理を行って、接続完了時には接続完了メッセージを生成し、
前記自局接続台数が前記他局接続台数より多い場合は、前記移動端末との接続処理を拒否し、
自局で生成された接続完了メッセージを他局へ通知し、他局から通知された接続完了メッセージを受信することを特徴とする無線ＬＡＮ接続方法。
【００９９】
（付記８）  前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記７記載の無線ＬＡＮ接続方法。
【０１００】
（付記９）  自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記７記載の無線ＬＡＮ接続方法。
【０１０１】
（付記１０）  無線信号の通信制御を行う無線通信システムにおいて、
ビーコン信号をスキャンし、捕捉できた周波数のビーコン信号を発信した局へ接続要求を送信する移動端末と、
自局の存在を示す前記ビーコン信号を発信する第１のビーコン信号発信部と、前記移動端末から新規の接続要求を受信した場合には、新規の接続要求から前記移動端末の識別情報を取得し、かつ前記移動端末の接続を拒否し、他局から接続拒否メッセージが通知された場合には、前記移動端末の接続を拒否し、他局から通知された接続許可メッセージを受信して、かつ前記移動端末からの接続要求を再度受信した場合には、前記移動端末との接続処理を行い、接続完了時には接続完了メッセージを生成する第１の接続処理部と、前記識別情報を他局へ通知し、他局から通知された前記接続許可メッセージ及び前記接続拒否メッセージを受信する第１の局間通信部と、から構成される第１の無線局と、
自局の存在を示す前記ビーコン信号を発信する第２のビーコン信号発信部と、前記第１の無線局から通知された前記識別情報を認識する識別情報認識部と、認識した前記識別情報を含む前記移動端末からの接続要求を、監視時間以内に受信するか否かの判断を行うための監視タイマを稼動する監視タイマ稼動部と、監視時間以内に前記識別情報を含む接続要求を受信した場合には、自局と他局のそれぞれの無線エリアが重複した無線エリア内に前記移動端末が存在するものと判断して、前記第１の無線局へ前記移動端末に対する前記接続拒否メッセージを生成し、かつ前記移動端末の接続処理指示を生成し、監視時間以内に前記識別情報を含む接続要求を受信しない場合には、前記重複した無線エリア内には前記移動端末は存在せず、前記第１の無線局の無線エリア内に前記移動端末が存在するものと判断して、前記第１の無線局へ前記移動端末に対する前記接続許可メッセージを生成し、かつ前記移動端末の接続を拒否する接続判断部と、接続完了メッセージにもとづいて、自局に現在接続している移動端末台数である自局接続台数と、他局に現在接続している移動端末台数である他局接続台数と、を管理する接続台数管理部と、前記接続処理指示を認識した後に、前記自局接続台数と前記他局接続台数による比較処理を行い、前記自局接続台数が前記他局接続台数より少ない場合は、前記移動端末との接続処理を行って、接続完了時には接続完了メッセージを生成し、前記自局接続台数が前記他局接続台数より多い場合は、前記移動端末との接続処理を拒否する第２の接続処理部と、前記第１の無線局から通知された前記識別情報を受信し、前記接続許可メッセージ及び前記接続拒否メッセージを前記第１の無線局へ通知し、自局で生成された接続完了メッセージを前記第１の無線局へ通知し、前記第１の無線局から通知された接続完了メッセージを受信する第２の局間通信部と、から構成される第２の無線局と、
を有することを特徴とする無線通信システム。
【０１０２】
（付記１１）  前記第２の接続処理部は、前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記１０記載の無線通信システム。
【０１０３】
（付記１２）  前記第２の接続処理部は、自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記１０記載の無線通信システム。
【０１０４】
（付記１３）  前記監視タイマ稼動部は、現在接続している移動端末台数に応じて、動的に監視時間を増減させることを特徴とする付記１０記載の無線通信システム。
（付記１４）  無線信号の通信制御を行う無線局において、
自局の存在を示すビーコン信号を発信するビーコン信号発信部と、
移動端末から新規の接続要求を受信した場合には、新規の接続要求から前記移動端末の識別情報を取得し、かつ前記移動端末の接続を拒否し、他局から接続拒否メッセージが通知された場合には、前記移動端末の接続を拒否し、他局から通知された接続許可メッセージを受信して、かつ前記移動端末からの接続要求を再度受信した場合には、前記移動端末との接続処理を行い、接続完了時には接続完了メッセージを生成する第１の接続処理部と、
前記識別情報を他局へ通知し、他局から通知された前記接続許可メッセージ及び前記接続拒否メッセージを受信する第１の局間通信部と、
前記第１の無線局から通知された前記識別情報を認識する識別情報認識部と、
認識した前記識別情報を含む前記移動端末からの接続要求を、監視時間以内に受信するか否かの判断を行うための監視タイマを稼動する監視タイマ稼動部と、
監視時間以内に前記識別情報を含む接続要求を受信した場合には、自局と他局のそれぞれの無線エリアが重複した無線エリア内に前記移動端末が存在するものと判断して、前記第１の無線局へ前記移動端末に対する前記接続拒否メッセージを生成し、かつ前記移動端末の接続処理指示を生成し、監視時間以内に前記識別情報を含む接続要求を受信しない場合には、前記重複した無線エリア内には前記移動端末は存在せず、前記第１の無線局の無線エリア内に前記移動端末が存在するものと判断して、前記第１の無線局へ前記移動端末に対する前記接続許可メッセージを生成し、かつ前記移動端末の接続を拒否する接続判断部と、
接続完了メッセージにもとづいて、自局に現在接続している移動端末台数である自局接続台数と、他局に現在接続している移動端末台数である他局接続台数と、を管理する接続台数管理部と、
前記接続処理指示を認識した後に、前記自局接続台数と前記他局接続台数による比較処理を行い、前記自局接続台数が前記他局接続台数より少ない場合は、前記移動端末との接続処理を行って、接続完了時には接続完了メッセージを生成し、前記自局接続台数が前記他局接続台数より多い場合は、前記移動端末との接続処理を拒否する第２の接続処理部と、
前記第１の無線局から通知された前記識別情報を受信し、前記接続許可メッセージ及び前記接続拒否メッセージを前記第１の無線局へ通知し、自局で生成された接続完了メッセージを前記第１の無線局へ通知し、前記第１の無線局から通知された接続完了メッセージを受信する第２の局間通信部と、
を有することを特徴とする無線局。
【０１０５】
（付記１５）  前記第２の接続処理部は、前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記１４記載の無線局。
【０１０６】
（付記１６）  前記第２の接続処理部は、自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記１４記載の無線局。
【０１０７】
（付記１７）  前記監視タイマ稼動部は、現在接続している移動端末台数に応じて、動的に監視時間を増減させることを特徴とする付記１４記載の無線局。
（付記１８）  無線ＬＡＮ上で、移動端末と無線局との無線接続を行う無線ＬＡＮ接続方法において、
移動端末は、
ビーコン信号をスキャンし、捕捉できた周波数のビーコン信号を発信した局へ接続要求を送信し、
第１の無線局は、
自局の存在を示す前記ビーコン信号を発信し、
前記移動端末から新規の接続要求を受信した場合には、新規の接続要求から前記移動端末の識別情報を取得し、かつ前記移動端末の接続を拒否し、
他局から接続拒否メッセージが通知された場合には、前記移動端末の接続を拒否し、
他局から通知された接続許可メッセージを受信して、かつ前記移動端末からの接続要求を再度受信した場合には、前記移動端末との接続処理を行い、接続完了時には接続完了メッセージを生成し、
前記識別情報を他局へ通知し、他局から通知された前記接続許可メッセージ及び前記接続拒否メッセージを受信し、
第２の無線局は、
自局の存在を示すビーコン信号を発信し、
前記第１の無線局から通知された前記識別情報を認識し、
認識した前記識別情報を含む前記移動端末からの接続要求を、監視時間以内に受信するか否かの判断を行うための監視タイマを稼動し、
監視時間以内に前記識別情報を含む接続要求を受信した場合には、自局と他局のそれぞれの無線エリアが重複した無線エリア内に前記移動端末が存在するものと判断して、前記第１の無線局へ前記移動端末に対する前記接続拒否メッセージを生成し、かつ前記移動端末の接続処理指示を生成し、
監視時間以内に前記識別情報を含む接続要求を受信しない場合には、前記重複した無線エリア内には前記移動端末は存在せず、前記第１の無線局の無線エリア内に前記移動端末が存在するものと判断して、前記第１の無線局へ前記移動端末に対する前記接続許可メッセージを生成し、かつ前記移動端末の接続を拒否し、
接続完了メッセージにもとづいて、自局に現在接続している移動端末台数である自局接続台数と、他局に現在接続している移動端末台数である他局接続台数と、を管理し、
前記接続処理指示を認識した後に、前記自局接続台数と前記他局接続台数による比較処理を行い、前記自局接続台数が前記他局接続台数より少ない場合は、前記移動端末との接続処理を行って、接続完了時には接続完了メッセージを生成し、
前記自局接続台数が前記他局接続台数より多い場合は、前記移動端末との接続処理を拒否し、
前記第１の無線局から通知された前記識別情報を受信し、前記接続許可メッセージ及び前記接続拒否メッセージを前記第１の無線局へ通知し、自局で生成された接続完了メッセージを前記第１の無線局へ通知し、前記第１の無線局から通知された接続完了メッセージを受信することを特徴とする無線ＬＡＮ接続方法。
【０１０８】
（付記１９）  前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記１８記載の無線ＬＡＮ接続方法。
【０１０９】
（付記２０）  自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記１８記載の無線ＬＡＮ接続方法。
【０１１０】
（付記２１）  現在接続している移動端末台数に応じて、動的に監視時間を増減させることを特徴とする付記１８記載の無線ＬＡＮ接続方法。
【図面の簡単な説明】
【０１１１】
【図１】無線通信システムの原理図である。
【図２】無線通信システムの全体動作を示すフローチャートである。
【図３】比較テーブルを示す図である。
【図４】接続処理部の接続処理動作を示すフローチャートである。
【図５】比較テーブルを示す図である。
【図６】接続処理部の接続処理動作を示すフローチャートである。
【図７】無線通信システムの構成を示す図である。
【図８】無線通信システムの全体動作を示すフローチャートである。
【図９】ＳＴＡの移動の様子を示す図である。
【図１０】監視時間テーブルを示す図である。
【図１１】無線ＬＡＮの接続動作を示す図である。
【図１２】問題点を説明するための図である。
【図１３】問題点を説明するための図である。
【図１４】問題点を説明するための図である。
【符号の説明】
【０１１２】
１  無線通信システム
１０  移動端末（ＳＴＡ）
２０−１、２０−２  無線局（ＡＰ）
２１  Ｉ／Ｆ部
２２  ビーコン信号発信部
２３  接続台数管理部
２４  接続処理部
２５  局間通信部
ＮＷ  有線ネットワーク
【図１】
2006128835.tif 000003
【図２】
2006128835.tif 000004
【図３】
2006128835.tif 000005
【図４】
2006128835.tif 000006
【図５】
2006128835.tif 000007
【図６】
2006128835.tif 000008
【図７】
2006128835.tif 000009
【図８】
2006128835.tif 000010
【図９】
2006128835.tif 000011
【図１０】
2006128835.tif 000012
【図１１】
2006128835.tif 000013
【図１２】
2006128835.tif 000014
【図１３】
2006128835.tif 000015
【図１４】
2006128835.tif 000016
【手続補正書】
【提出日】平成17年5月25日(2005.5.25)
【手続補正１】
【補正対象書類名】特許請求の範囲
【補正対象項目名】請求項４
【補正方法】変更
【補正の内容】
【請求項４】
無線信号の通信制御を行う無線通信システムにおいて、
ビーコン信号をスキャンし、捕捉できた周波数のビーコン信号を発信した局へ接続要求を送信する移動端末と、
自局の存在を示すビーコン信号を発信する第１のビーコン信号発信部と、前記移動端末から新規の接続要求を受信した場合には、新規の接続要求から前記移動端末の識別情報を取得し、かつ前記移動端末の接続を拒否し、他局から接続拒否メッセージが通知された場合には、前記移動端末の接続を拒否し、他局から通知された接続許可メッセージを受信して、かつ前記移動端末からの接続要求を再度受信した場合には、前記移動端末との接続処理を行い、接続完了時には接続完了メッセージを生成する第１の接続処理部と、前記識別情報を他局へ通知し、他局から通知された前記接続許可メッセージ及び前記接続拒否メッセージを受信する第１の局間通信部と、から構成される第１の無線局と、
自局の存在を示すビーコン信号を発信する第２のビーコン信号発信部と、前記第１の無線局から通知された前記識別情報を認識する識別情報認識部と、認識した前記識別情報を含む前記移動端末からの接続要求を、監視時間以内に受信するか否かの判断を行うための監視タイマを稼動する監視タイマ稼動部と、監視時間以内に前記識別情報を含む接続要求を受信した場合には、自局と他局のそれぞれの無線エリアが重複した無線エリア内に前記移動端末が存在するものと判断して、前記第１の無線局へ前記移動端末に対する前記接続拒否メッセージを生成し、かつ前記移動端末の接続処理指示を生成し、監視時間以内に前記識別情報を含む接続要求を受信しない場合には、前記重複した無線エリア内には前記移動端末は存在せず、前記第１の無線局の無線エリア内に前記移動端末が存在するものと判断して、前記第１の無線局へ前記移動端末に対する前記接続許可メッセージを生成し、かつ前記移動端末の接続を拒否する接続判断部と、接続完了メッセージにもとづいて、自局に現在接続している移動端末台数である自局接続台数と、他局に現在接続している移動端末台数である他局接続台数と、を管理する接続台数管理部と、前記接続処理指示を認識した後に、前記自局接続台数と前記他局接続台数による比較処理を行い、前記自局接続台数が前記他局接続台数より少ない場合は、前記移動端末との接続処理を行って、接続完了時には接続完了メッセージを生成し、前記自局接続台数が前記他局接続台数より多い場合は、前記移動端末との接続処理を拒否する第２の接続処理部と、前記第１の無線局から通知された前記識別情報を受信し、前記接続許可メッセージ及び前記接続拒否メッセージを前記第１の無線局へ通知し、自局で生成された接続完了メッセージを前記第１の無線局へ通知し、前記第１の無線局から通知された接続完了メッセージを受信する第２の局間通信部と、から構成される第２の無線局と、
を有することを特徴とする無線通信システム。
【手続補正２】
【補正対象書類名】明細書
【補正対象項目名】全文
【補正方法】変更
【補正の内容】
【発明の詳細な説明】
【技術分野】
【０００１】
本発明は、無線通信システムに関し、特に無線ＬＡＮ（Local Area Network）における無線信号の通信制御を行う無線通信システムに関する。
【背景技術】
【０００２】
近年、電波や赤外線等の無線で通信を行う無線ＬＡＮの普及が進み、市場は拡大し続けている。無線ＬＡＮは、有線ケーブルを使わないＬＡＮであるため、ケーブル敷設の手間が省け、端末の設置や移動が自由に行えるので、企業だけでなく一般家庭においてもニーズは高まっており、今後さらなる発展が期待されている。
【０００３】
無線ＬＡＮは、IEEE（the Institute of Electrical and Electronic Engineers）802.11で規格が統一化され、IEEE802.11の拡張仕様として、IEEE802.11a、IEEE802.11b、IEEE802.11gの３つの規格がある。
【０００４】
IEEE802.11aは、最大５４Mbpsの速度で通信できる新しい規格であり、５GHz帯の周波数帯域を使用している。IEEE802.11bは、無線ＬＡＮの標準規格であって、現在最も多く使用されており、最大１１Mbpsの速度で通信でき、２．４GHz帯の周波数帯域を使用している。
【０００５】
また、IEEE802.11gは、IEEE802.11bと同じ２．４GHz帯の周波数帯域を使用しているが、およそ５倍の約５４Mbpsの高速通信が可能である。さらに、IEEE802.11aと違って、IEEE802.11bと互換性があるため、アンテナや無線にかかわる部分もIEEE802.11bと同様に設計できる。これらの理由でIEEE802.11gは、今後の主流となる規格として注目されており、IEEE802.11g対応の製品開発が進んでいる。
【０００６】
無線ＬＡＮでは、アクセスポイントと移動端末とが電波でつながれることで通信が行われる。ここで、無線ＬＡＮで使われる“アクセスポイント”とは、ＬＡＮにつないである中継器（無線局）のことを指す。
【０００７】
また、アクセスポイントは、自身の存在を示すために、ビーコン（Beacon）信号を発し、移動端末は、ビーコン信号のスキャン（探索）を行う。IEEE802.11ｇ準拠の無線ＬＡＮ接続においては、ビーコン信号は、チャネル（ＣＨ）１〜１３までＣＨ毎に周波数が決められており、各アクセスポイントは自身に設定された１つのＣＨのビーコン信号をエア中に発する。
【０００８】
そして、移動端末は、ＣＨ１〜１３まで順にビーコン信号をスキャンして、あるＣＨの周波数を受信すると、そのＣＨでロック（固定）し、スキャン動作を停止して、該当のアクセスポイントと接続する。
【０００９】
図１１は無線ＬＡＮの接続動作を示す図である。アクセスポイント１０１は、ＣＨ１のビーコン信号を発している。移動端末１１４は、ＣＨ１〜ＣＨ１３まで順にスキャン動作をしながら移動し、アクセスポイント１０１の無線エリアに入る。
【００１０】
移動端末１１４は、ＣＨ１を受信（捕捉）してアクセスポイント１０１を検出すると、スキャン動作を停止して、ＣＨ１の送信元のアクセスポイント１０１と無線接続する。なお、アクセスポイント１０１は、すでに移動端末１１１〜１１３と無線接続しているとすれば、合計４台の移動端末１１１〜１１４と無線接続することになる。
【００１１】
無線ＬＡＮ接続に関する従来技術としては、移動端末の方から接続すべきアクセスポイントを選択する技術が提案されている（例えば、特許文献１）。
【特許文献１】特開２００２−５１３６８号公報（段落番号〔００２５〕、〔００２６〕，第１図）
【発明の開示】
【発明が解決しようとする課題】
【００１２】
ＣＨ（周波数）の異なるビーコン信号を発する複数のアクセスポイントが設置する場合、設置状況によっては、複数のＣＨが重なる無線エリアが存在することになる。この場合、その重なった無線エリアに移動端末が存在すると、移動端末の接続が同じアクセスポイント（ＣＨ）に集中するおそれがあり、アクセスポイント内の処理負荷が増大するといった問題があった。
【００１３】
図１２〜図１４は問題点を説明するための図である。図１２に対し、２台のアクセスポイント１０１、１０２が設置されており、アクセスポイント１０１は、ＣＨ１のビーコン信号を発し、アクセスポイント１０２は、ＣＨ２のビーコン信号を発する。また、アクセスポイント１０１のＣＨ１の無線エリアＢ１と、アクセスポイント１０２のＣＨ２の無線エリアＢ２の他に、無線エリアＢ１、Ｂ２が重なる無線エリアＢ３が存在している。
【００１４】
移動端末１１１〜１１４は、すでにＣＨ１でアクセスポイント１０１に接続し、移動端末１１５、１１６は、すでにＣＨ２でアクセスポイント１０２に接続しているとする。また、無線エリアＢ３の重複領域内の移動端末１１７、１１８は、アクセスポイント１０１、１０２のどちらにも接続可能である。
【００１５】
ここで、図１３のように、移動端末１１７、１１８がアクセスポイント１０２に接続するならば、アクセスポイント１０１、１０２の処理負荷は均等となり、例えば、２Mbpsのデータを、アクセスポイント１０１、１０２から移動端末１１１〜１１８のそれぞれに送信する場合には、アクセスポイント１０１、１０２では、８Mbps分のデータ送信をそれぞれ均等に行うことになる。
【００１６】
しかし、図１４のように、移動端末１１７、１１８が、アクセスポイント１０１に接続するならば、アクセスポイント１０１の処理負荷が大きくなり、２Mbpsのデータを、アクセスポイント１０１、１０２から移動端末１１１〜１１８のそれぞれに送信する場合には、アクセスポイント１０１では１２Mbps、アクセスポイント１０２では４Mbps分のデータ送信となる。
【００１７】
このように、従来では、移動端末の接続の仕方によって、一方のアクセスポイントでは処理負荷が増大し、他方のアクセスポイントでは処理負荷に余裕があるといった接続形態になるおそれがあり、非効率的な運用がなされてしまうといった問題があった。
【００１８】
一方、上記の従来技術（特開２００２−５１３６８号公報）では、移動端末がアクセスポイントのデータ通信のトラフィック量を検出し、トラフィック量の少ないアクセスポイントを選択する制御を行って、アクセスポイントの処理負荷の軽減を図っている。しかし、このような制御では、接続してくる移動端末にアクセスポイントの選択機能を持たせているため、一般市販の移動端末（ノートパソコン等）全部への機能追加をしなければならず、必ずしも最適な解決策とはいえない。
【００１９】
本発明はこのような点に鑑みてなされたものであり、移動端末と接続するアクセスポイントの処理負荷を低減して、無線通信品質の向上を図った無線通信システムを提供することを目的とする。
【課題を解決するための手段】
【００２０】
本発明では上記課題を解決するために、図１に示すような、無線信号の通信制御を行う無線通信システム１において、ビーコン信号をスキャンし、捕捉できた周波数のビーコン信号を発信した局へ接続要求を送信する移動端末１０と、自局の存在を示すビーコン信号を発信するビーコン信号発信部２２と、接続完了メッセージにもとづいて、自局に現在接続している移動端末台数である自局接続台数と、他局に現在接続している移動端末台数である他局接続台数と、を管理する接続台数管理部２３と、接続要求を受信して、自局接続台数と他局接続台数による比較処理を行い、自局接続台数が他局接続台数より少ない場合は、移動端末との接続処理を行って、接続完了時には接続完了メッセージを生成し、自局接続台数が他局接続台数より多い場合は、移動端末との接続処理を拒否する接続処理部２４と、自局で生成された接続完了メッセージを他局へ通知し、他局から通知された接続完了メッセージを受信する局間通信部２５と、から構成される無線局２０と、を有することを特徴とする無線通信システム１が提供される。
【００２１】
ここで、移動端末１０は、ビーコン信号をスキャンし、捕捉できた周波数のビーコン信号を発信した局へ接続要求を送信する。ビーコン信号発信部２２は、自局の存在を示すビーコン信号を発信する。接続台数管理部２３は、接続完了メッセージにもとづいて、自局に現在接続している移動端末台数である自局接続台数と、他局に現在接続している移動端末台数である他局接続台数とを管理する。接続処理部２４は、接続要求を受信して、自局接続台数と他局接続台数による比較処理を行い、自局接続台数が他局接続台数より少ない場合は、移動端末との接続処理を行って、接続完了時には接続完了メッセージを生成し、自局接続台数が他局接続台数より多い場合は、移動端末との接続処理を拒否する。局間通信部２５は、自局で生成された接続完了メッセージを他局へ通知し、他局から通知された接続完了メッセージを受信する。
【発明の効果】
【００２２】
本発明の無線通信システムは、移動端末では、ビーコン信号をスキャンし、捕捉できた周波数のビーコン信号を発信した局へ接続要求を送信し、無線局では、自局に現在接続している移動端末台数である自局接続台数と、他局に現在接続している移動端末台数である他局接続台数とを管理し、接続要求を受信した後、自局接続台数と他局接続台数による比較処理を行って、移動端末との接続処理を行う構成とした。これにより、移動端末と接続する無線局の処理負荷を軽減して、無線通信品質の向上を図ることが可能になる。
【発明を実施するための最良の形態】
【００２３】
以下、本発明の実施の形態を図面を参照して説明する。図１は無線通信システムの原理図である。無線通信システム１は、移動端末１０、無線局２０−１、２０−２を含み、無線信号の通信制御を行うシステムである。
【００２４】
無線局２０−１、２０−２は、有線ネットワークＮＷを介して互いに接続し、移動端末１０と無線局２０−１または無線局２０−２は無線接続する。なお、無線局２０−１、２０−２は、実際には両方とも同じ機能を有するものである。また、以降では移動端末をＳＴＡ、無線局をＡＰ（アクセスポイント）と呼ぶ。
【００２５】
ＳＴＡ１０は、ＣＨ１〜１３まで順にビーコン信号をスキャンして、あるＣＨの周波数を捕捉すると、そのＣＨでロックし、スキャン動作を停止する。そして、捕捉できた周波数のビーコン信号を発信したＡＰへ接続要求を送信する。
【００２６】
ＡＰ２０−１は、Ｉ／Ｆ部２１、ビーコン信号発信部２２、接続台数管理部２３、接続処理部２４、局間通信部２５から構成される。Ｉ／Ｆ部２１は、ＳＴＡ１０とＡＰ２０−１との無線ＬＡＮインタフェース制御を行う。ビーコン信号発信部２２は、自局の存在を示すビーコン信号を発信する（ＣＨ１〜１３の内の自局に定められた１つのＣＨのビーコン信号を発信する）。ビーコン信号は、Ｉ／Ｆ部２１を介してエア中に放射される。
【００２７】
接続台数管理部２３は、接続完了メッセージにもとづいて、自局に現在接続している移動端末台数である自局接続台数と、他局に現在接続している移動端末台数である他局接続台数とを管理する。
【００２８】
接続完了メッセージは、ＳＴＡ１０との接続が完了したときに、接続処理部２４で生成されるメッセージである。接続台数管理部２３は、自局（ＡＰ２０−１）で生成された接続完了メッセージを受信すると、自局接続台数をカウントアップして記憶する。また、他局（ＡＰ２０−２）で生成されて送信された接続完了メッセージを受信すると、他局接続台数をカウントアップして記憶する。
【００２９】
一方、ＳＴＡ１０との接続が切断したときには、接続処理部２４では接続切断メッセージが生成される。接続台数管理部２３は、自局（ＡＰ２０−１）で生成された接続切断メッセージを受信すると、自局接続台数をカウントダウンして記憶する。また、他局（ＡＰ２０−２）で生成されて送信された接続切断メッセージを受信すると、他局接続台数をカウントダウンして記憶する。
【００３０】
接続処理部２４は、ＳＴＡ１０からの接続要求をＩ／Ｆ部２１を介して受信して、自局接続台数と他局接続台数による比較処理を行う。そして、自局接続台数が他局接続台数より少ない場合は、ＳＴＡ１０との接続処理を行って、接続完了時には接続完了メッセージを生成する。また、自局接続台数が他局接続台数より多い場合は、ＳＴＡ１０との接続処理を拒否する。なお、接続処理部２４は、ＳＴＡ１０の接続の切断を認識した場合は、接続切断メッセージを生成する。
【００３１】
局間通信部２５は、有線ネットワークＮＷを介して、ＡＰ２０−１、２０−２間で通信を行う機能を有し、例えば、自局（ＡＰ２０−１）で生成された接続完了メッセージを他局（ＡＰ２０−２）へ通知し、またはＡＰ２０−２から通知された接続完了メッセージを受信する（接続完了メッセージと同様に、接続切断メッセージのやりとりも行われる）。
【００３２】
次に無線通信システム１の動作について説明する。図２は無線通信システム１の全体動作を示すフローチャートである。
〔Ｓ１〕ＳＴＡ１０は、ＡＰ２０−１からのビーコン信号を捕捉し、接続要求をＡＰ２０−１へ送信する。
【００３３】
〔Ｓ２〕接続処理部２４は、Ｉ／Ｆ部２１を介して、接続要求を受信する。受信後、接続台数管理部２３から、ＡＰ２０−１が現在接続しているＳＴＡ接続台数（自局接続台数）と、ＡＰ２０−２が現在接続しているＳＴＡ接続台数（他局接続台数）とを読み出して、比較処理を行う。
【００３４】
なお、接続台数管理部２３は、ＡＰ２０−２から送信された接続完了メッセージを、有線ネットワークＮＷ及び局間通信部２５を介して受信して、ＡＰ２０−２に現在接続しているＳＴＡの接続台数を、他局接続台数として記憶する。
【００３５】
〔Ｓ３〕ＡＰ２０−２の他局接続台数よりＡＰ２０−１の自局接続台数が少ない場合はステップＳ４へいき、ＡＰ２０−２の他局接続台数よりＡＰ２０−１の自局接続台数が多い場合はステップＳ７へいく。
【００３６】
〔Ｓ４〕接続処理部２４は、ＳＴＡ１０の接続処理を実行する。また、接続完了時には接続完了メッセージを生成し、接続完了メッセージを接続台数管理部２３及び局間通信部２５へ送信する。
【００３７】
〔Ｓ５〕接続台数管理部２３は、接続完了メッセージを受信し、ＡＰ２０−１の現在の接続台数をカウントアップして記憶する（ＡＰ２０−１における接続台数の更新）。
〔Ｓ６〕局間通信部２５は、有線ネットワークＮＷを介して、接続完了メッセージをＡＰ２０−２へ送信する。ＡＰ２０−２は、接続完了メッセージを受信すると、ＡＰ２０−２内部の接続台数管理部は、ＡＰ２０−１の現在の接続台数をカウントアップして記憶する（ＡＰ２０−２における接続台数の更新）。
【００３８】
〔Ｓ７〕接続処理部２４は、ＳＴＡ１０の接続処理を拒否し、接続拒否をＳＴＡ１０へ送信する。
〔Ｓ８〕ＳＴＡ１０は、ＡＰ２０−１からの接続拒否を受信すると、あらたな接続先を見つけるためスキャン動作を開始して移動していく。そして、ＡＰ２０−２の無線エリアに入ると、ＡＰ２０−２において、ＡＰ２０−１で行われた同様の接続制御が行われる。
【００３９】
次に接続処理部２４で行う比較処理について説明する。ＡＰ２０−１の接続処理部２４は、自局接続台数と他局接続台数との差を示す接続台数差（＝自局接続台数−他局接続台数）と、しきい値とを含む比較テーブルを有し、接続台数差としきい値との比較を行って、ＳＴＡの接続可否を行う。なお、しきい値は、接続台数差に応じて、ＡＰ２０−１があらたに接続可能な台数を表す値に動的に設定されるものである。
【００４０】
図３は比較テーブルを示す図である。比較テーブルＴ１は、接続台数差としきい値との項目から構成される。この比較テーブルＴ１は、接続処理部２４が接続台数差を算出し、この算出値に応じてしきい値が動的に設定されることで、接続処理部２４内で作成されるテーブルである。
【００４１】
図中、接続台数差が−３以上ということは、他局であるＡＰ２０−２の現在の接続台数は、自局のＡＰ２０−１の現在の接続台数よりも３台以上多くＳＴＡが接続していることを表している。
【００４２】
ここで、接続台数差が−３以上であったとき、しきい値は４なので、−３と４とを比較すると、−３＜４であり、しきい値よりも接続台数差は小さい。しきい値よりも接続台数差が小さい場合には、ＳＴＡの接続処理が行われる。
【００４３】
また、この場合、接続台数差（−３以上）に対応するしきい値には４が設定されているが、この４という値は、接続台数差が−３以上のとき、ＡＰ２０−１にはあと４台のＳＴＡが接続できることを表している（３台でＡＰ２０−１と同等の数の接続となるが、１台余分に接続可能としているので４にしている）。
【００４４】
次に接続台数差が０の場合について見ると、接続台数差が０ということは、ＡＰ２０−１とＡＰ２０−２には、現在同じ数のＳＴＡが接続していることになる。接続台数差が０であったとき、しきい値は１なので、０（接続台数差）＜１（しきい値）であるから、しきい値よりも接続台数差は小さく、この場合には、ＳＴＡの接続処理が行われる。また、しきい値が１であるから、接続台数差が０のとき、ＡＰ２０−１にはあと１台のＳＴＡが接続可能であることがわかる。
【００４５】
次に接続台数差が２の場合について見ると、接続台数差が２ということは、自局接続台数−他局接続台数＝２なので、ＡＰ２０−１の現在の自局接続台数は、ＡＰ２０−２の接続台数よりも２台多くＳＴＡが接続していることを表している。
【００４６】
ここで、接続台数差が２であったとき、しきい値は０なので、２（接続台数差）＞０（しきい値）であるから、しきい値よりも接続台数差は大きい。しきい値よりも接続台数差が大きい場合には、ＳＴＡの接続処理は行われない。また、しきい値が０であるから、このことからもＡＰ２０−１にはあらたなＳＴＡは接続されないことがわかる。
【００４７】
ここで、上記で説明したしきい値は、比較処理に用いられるだけでなく、自局があらたに接続可能なＳＴＡ接続台数の値を表しているという特徴を持つので、例えば、ネットワーク管理者がＡＰに対してあと何台のＳＴＡが接続可能であるかを知りたい場合などに、ＡＰ内部で自律的に設定されたしきい値を見ることで即座に知ることが可能になる。
【００４８】
図４は接続処理部２４の接続処理動作を示すフローチャートである。
〔Ｓ１１〕自局接続台数と他局接続台数を接続台数管理部２３から読み取り、接続台数差（＝自局接続台数−他局接続台数）を求める。
【００４９】
〔Ｓ１２〕接続台数差に応じたしきい値を動的に設定し、比較テーブルＴ１を作成する。
〔Ｓ１３〕接続台数差としきい値を比較する。しきい値よりも接続台数差が小さければステップＳ１４へ、しきい値よりも接続台数差が大きければステップＳ１５へいく。
【００５０】
〔Ｓ１４〕ＳＴＡの接続処理を行う。また、接続完了時は接続完了メッセージを生成する。
〔Ｓ１５〕ＳＴＡの接続を拒否する。
【００５１】
このような接続処理を行うことで、ＡＰ２０−１、２０−２には、互いにほぼ同数のＳＴＡが接続するようになり、ＡＰ２０−１、２０−２の処理負荷が平均化されることになる。
【００５２】
次に接続処理部２４で行う比較処理の変形例について説明する。上記の図３、図４で上述した比較処理では、ＡＰ２０−１、２０−２の接続台数差のみを考慮してＳＴＡの接続可否を決定したが、変形例の場合では、現在接続しているＳＴＡ接続台数も考慮して比較処理を行う。
【００５３】
ここで、ＡＰ２０−１の処理負荷が限界値に近づくような多数のＳＴＡが、ＡＰ２０−１にすでに接続しているような場合には、たとえそのときのＡＰ２０−１、２０−２の接続台数差がしきい値よりも小さな値であったとしても、ＡＰ２０−１にはあらたなＳＴＡ１０が接続されるべきではない。
【００５４】
したがって、変形例の比較処理では、このようなことを解決するために、接続台数差及びＡＰ２０−１が現在接続しているＳＴＡ接続台数に応じて、ＳＴＡ１０の接続可否の決定を行う。
【００５５】
図５は比較テーブルを示す図である。比較テーブルＴ２は、ＡＰ２０−１に現在接続しているＳＴＡの総接続数、接続台数差及びしきい値の項目から構成される。この比較テーブルＴ２は、ＳＴＡの総接続数毎に、接続処理部２４で算出された接続台数差に応じてしきい値が動的に設定されることで、接続処理部２４内で作成されるテーブルである。
【００５６】
図に示す比較テーブルＴ２は、現在接続しているＳＴＡの総接続数が５台未満、５台〜１０台、１１台〜２０台の３つに場合分けをした例を示しており、それぞれの総接続数に応じての接続台数差によるしきい値が設定される。
【００５７】
ここで、接続台数差が−３以下の場合（他局のＡＰ２０−２の現在の接続台数が、自局のＡＰ２０−１の現在の接続台数よりも３台以上多くＳＴＡが接続している場合）について見ると、総接続数が５台未満のとき、しきい値は４となっており、ＡＰ２０−１にはさらに４台のＳＴＡが接続可能である。
【００５８】
また、総接続数が５台〜１０台のときの接続台数差が−３以下の場合、しきい値は３となっており、ＡＰ２０−１にはさらに３台のＳＴＡが接続可能である。すなわち、総接続数が５台〜１０台の場合には、５台未満の場合と比べてＡＰ２０−１の処理負荷が大きいので、しきい値を小さく設定して、５台未満のときよりも接続可能台数を少なく設定している。
【００５９】
さらに、総接続数が１１台〜２０台のときの接続台数差が−３以下の場合、しきい値は２となっており、ＡＰ２０−１には２台のＳＴＡが接続可能である。すなわち、総接続数が１１台〜２０台の場合には、５台〜１０台の場合と比べてＡＰ２０−１の処理負荷がさらに大きいので、しきい値を小さくて、５台〜１０台のときよりも接続可能台数を少なく設定している。
【００６０】
なお、比較テーブルＴ２を用いた接続処理については、総接続数に応じた接続台数差としきい値との組み合わせが選ばれて、図３で上述した処理と同様な接続処理が行われる。
図６は接続処理部２４の接続処理動作を示すフローチャートである。比較テーブルＴ２を用いての接続処理の動作フローである。
【００６１】
〔Ｓ２１〕自局接続台数と他局接続台数を接続台数管理部２３から読み取り、接続台数差（＝自局接続台数−他局接続台数）を求める。
〔Ｓ２２〕総接続数毎に、接続台数差に応じたしきい値を動的に設定し、比較テーブルＴ２を作成する。
【００６２】
〔Ｓ２３〕現在接続しているＳＴＡ接続台数に対応する、接続台数差としきい値とを比較する。しきい値よりも接続台数差が小さければステップＳ２４へ、しきい値よりも接続台数差が大きければステップＳ２５へいく。
【００６３】
〔Ｓ２４〕ＳＴＡの接続処理を行う。接続完了時は接続完了メッセージを生成する。
〔Ｓ２５〕ＳＴＡの接続を拒否する。
このように、現在接続しているＳＴＡの総接続数を考慮して接続処理を行うことで、ＡＰ２０−１の処理負荷の範囲内に収まるように、ＡＰ２０−１にＳＴＡが接続するようになる。
【００６４】
次にＳＴＡ１０の識別情報を認識してＳＴＡ１０の接続可否を行う無線通信システムについて説明する。図７は無線通信システムの構成を示す図である。無線通信システム２は、ＳＴＡ１０、第１の無線局（ＡＰ３０）、第２の無線局（ＡＰ４０）を含み、無線信号の通信制御を行うシステムである。
【００６５】
ＡＰ３０、４０は、有線ネットワークＮＷを介して互いに接続し、ＳＴＡ１０とＡＰ３０またはＡＰ４０は無線接続する。なお、図ではＡＰ３０、４０は互いに異なる構成要素を持つように記しているが、実際には両方とも同じ機能を有するものである。
【００６６】
ＡＰ３０は、Ｉ／Ｆ部３１、ビーコン信号発信部３２（第１のビーコン信号発信部に該当）、接続台数管理部３３、接続処理部３４（第１の接続処理部に該当）、局間通信部３５（第１の局間通信部に該当）から構成される。なお、Ｉ／Ｆ部３１、ビーコン信号発信部３２及び接続台数管理部３３は、図１で上述した構成要素の動作と同じなので説明は省略する。
【００６７】
接続処理部３４は、ＳＴＡ１０から新規の接続要求を受信した場合には、新規の接続要求からＳＴＡ１０の識別情報を取得する。識別情報にはＳＴＡ１０のＭＡＣ（Media Access Control）アドレスを使用する。接続処理部３４は、ＳＴＡ１０の新規の接続要求から、ＭＡＣアドレスを取得したら、ＳＴＡ１０の接続は一旦拒否する。
【００６８】
また、接続処理部３４は、ＡＰ４０から接続拒否メッセージが通知された場合もＳＴＡ１０の接続を拒否する。さらに、ＡＰ４０から通知された接続許可メッセージを受信し、かつＳＴＡ１０からの接続要求を再度受信した場合には、ＳＴＡ１０との接続処理を行い、接続完了時には接続完了メッセージを生成する（ＳＴＡ１０の接続の切断を認識した場合は、接続切断メッセージを生成する）。
【００６９】
局間通信部３５は、有線ネットワークＮＷを介してＡＰ４０と通信を行い、接続処理部３４で認識されたＭＡＣアドレスをＡＰ４０へ通知する。また、ＡＰ４０から通知された接続許可メッセージ及び接続拒否メッセージを受信する（接続完了メッセージと同様に、接続切断メッセージのやりとりも行われる）。
【００７０】
ＡＰ４０は、Ｉ／Ｆ部４１、ビーコン信号発信部４２（第２のビーコン信号発信部に該当）、接続台数管理部４３、接続処理部４４（第２の接続処理部に該当）、局間通信部４５（第２の局間通信部に該当）、識別情報認識部４６、監視タイマ稼動部４７、接続判断部４８から構成される。なお、Ｉ／Ｆ部４１、ビーコン信号発信部４２及び接続台数管理部４３は、図１で上述した構成要素の動作と同じなので説明は省略する。
【００７１】
識別情報認識部４６は、ＡＰ３０から通知されたＳＴＡ１０のＭＡＣアドレスを受信し認識する。監視タイマ稼動部４７は、認識したＭＡＣアドレスを含むＳＴＡ１０からの接続要求を、監視時間以内に受信するか否かの判断を行うための監視タイマを稼動する。
【００７２】
接続判断部４８は、監視時間以内に、識別情報認識部４６が認識したＭＡＣアドレスを含む接続要求を、Ｉ／Ｆ部４１を介して受信した場合には、ＡＰ３０、４０のそれぞれの無線エリアが重複した無線エリア内にＳＴＡ１０が存在するものと判断する。そして、ＡＰ３０へＳＴＡ１０に対する接続拒否メッセージを生成し、かつＡＰ４０で接続を行うためにＳＴＡ１０の接続処理指示を生成する。
【００７３】
また、接続判断部４８は、監視時間以内に、識別情報認識部４６が認識したＭＡＣアドレスを含む接続要求を、Ｉ／Ｆ部４１を介して受信しない場合には、重複した無線エリア内にはＳＴＡ１０は存在せず、ＡＰ３０の無線エリア内にＳＴＡ１０が存在するものと判断する。そして、ＡＰ３０へのＳＴＡ１０に対する接続許可メッセージを生成し、かつＡＰ４０ではＳＴＡ１０の接続を拒否する。
【００７４】
接続処理部４４は、接続判断部４８で生成された接続処理指示を認識した後に、ＡＰ４０の自局接続台数とＡＰ３０の他局接続台数による比較処理を行い、接続処理を行う。この比較処理及び接続処理は、無線通信システム１の接続処理部２４で行われる処理（図３〜図６）と同様なので説明は省略する。
【００７５】
局間通信部４５は、有線ネットワークＮＷを介してＡＰ３０と通信を行い、接続許可メッセージ及び接続拒否メッセージをＡＰ３０へ通知する。また、ＡＰ４０で生成された接続完了メッセージをＡＰ３０へ通知し、ＡＰ３０から通知された接続完了メッセージやＭＡＣアドレスを受信する（接続完了メッセージと同様に、接続切断メッセージのやりとりも行われる）。
【００７６】
次に図８、図９を用いて無線通信システム２の動作について説明する。図８は無線通信システム２の全体動作を示すフローチャートである。また、図９はＳＴＡ１０の移動の様子を示す図である。図８の動作フローのステップ番号を図９の対応する箇所に示す。
【００７７】
図９に対し、ＡＰ３０、４０は、有線ネットワークＮＷで接続する。また、ＡＰ３０が発するＣＨ１を受信できる領域を無線エリアＡ１、ＡＰ４０が発するＣＨ２を受信できる領域を無線エリアＡ２、無線エリアＡ１、Ａ２が重複する領域を無線エリアＡ３とする。
【００７８】
〔Ｓ３１〕ＳＴＡ１０は、スキャン動作中、ＡＰ３０からのビーコン信号（ＣＨ１）を捕捉すると接続要求をＡＰ３０へ送信する。
〔Ｓ３２〕ＡＰ３０の接続処理部３４は、ＳＴＡ１０からの接続要求を受信すると、接続要求に含まれるＳＴＡ１０のＭＡＣアドレスを取得し、ＡＰ４０へＭＡＣアドレスを送信する。また、ＡＰ３０は、ＳＴＡ１０の接続を一旦拒否する。
【００７９】
〔Ｓ３３〕ＡＰ３０との接続を拒否されたＳＴＡ１０は、スキャン動作を再開し移動する。
〔Ｓ３４〕ＡＰ４０において、識別情報認識部４６でＡＰ３０から送信されたＭＡＣアドレスが認識されると、監視タイマ稼動部４７は、監視時間を刻む監視タイマを稼動する。
【００８０】
〔Ｓ３５〕ＡＰ４０の接続判断部４８は、監視時間以内に、認識済みのＭＡＣアドレスを含む接続要求を受信するか否かを判断する。監視時間以内に受信した場合はステップＳ３６へ、監視時間以内に受信しない場合はステップＳ３８へいく。
【００８１】
〔Ｓ３６〕監視時間内に接続要求を受信した場合、接続判断部４８は、無線エリアＡ３内にＳＴＡ１０が存在すると判断する。すなわち、監視時間内に、認識済みのＭＡＣアドレスを含む接続要求を受信したということは、ＡＰ３０で接続を拒否されたＳＴＡ１０は、あらたな接続先を探して移動し、ＡＰ４０が発するＣＨ２のビーコン信号を受信できる無線エリアＡ３まで到達したとみなしてよい。
【００８２】
したがって、この場合は、接続判断部４８は、ＡＰ４０でＳＴＡ１０を接続するための接続処理指示を生成する。また、ＡＰ３０へはＳＴＡ１０を接続しないように接続拒否メッセージを生成し、接続拒否メッセージは、局間通信部４５によりＡＰ３０へ送信される。
【００８３】
〔Ｓ３７〕ＡＰ４０の接続処理部４４は、接続判断部４８で生成された接続処理指示を受信すると、図３〜図６で上述したような接続処理を行う。そして、接続完了時には接続完了メッセージを生成する（接続完了メッセージは、接続台数管理部４３へ通知されて、自局（ＡＰ４０）接続台数がカウントアップされる。また、接続完了メッセージはＡＰ３０に対しても通知される）。
【００８４】
また、ＡＰ３０の接続処理部３４は、ＡＰ４０から通知された接続拒否メッセージを受信すると、ＳＴＡ１０の接続を拒否する（ＳＴＡ１０からの接続要求を受けた場合であっても、ＡＰ４０の方で接続処理が行われるので）。
【００８５】
〔Ｓ３８〕監視時間内に接続要求を受信しない場合、接続判断部４８は、無線エリアＡ３内にＳＴＡ１０が存在しないものと判断する。すなわち、監視時間内に、認識済みのＭＡＣアドレスを含む接続要求を受信しないということは、ＡＰ３０で一旦接続拒否されたＳＴＡ１０は、あらたな接続先を探して移動しているが、まだＡＰ４０が発するＣＨ２のビーコン信号を受信できる無線エリアＡ３に到達していないとみなしてよい。
【００８６】
したがって、このような場合は、ＡＰ４０の接続判断部４８は、ＡＰ３０側でＳＴＡ１０の接続がなされるように、ＡＰ３０へＳＴＡ１０に対する接続許可メッセージを生成し、接続許可メッセージは局間通信部４５によりＡＰ３０へ送信される。また、ＡＰ４０ではＳＴＡ１０の接続を拒否する。
【００８７】
〔Ｓ３９〕ＡＰ３０は、ＡＰ４０から通知された接続許可メッセージを受信し、かつＳＴＡ１０からの接続要求を再度受信した場合には、ＳＴＡ１０との接続処理を行い、接続完了時には接続完了メッセージを生成する（接続完了メッセージは、接続台数管理部３３へ通知されて、自局（ＡＰ３０）接続台数がカウントアップされる。また、接続完了メッセージはＡＰ４０に対しても通知される）。
【００８８】
図１０は監視時間テーブルを示す図である。監視タイマ稼動部４７は、監視時間テーブルＴ３を有する。監視時間テーブルＴ３は、ＡＰ４０に現在接続しているＳＴＡ接続台数である総接続数と、監視時間（ｓ）との項目を持つ。
【００８９】
図からわかるように、総接続数が多くなるほど、監視時間を増加させる。これは、ＡＰ４０に現在接続するＳＴＡ接続台数が多いほど、ＡＰ４０内の処理負荷が増えるため、新規に接続すべきＳＴＡの接続処理が待たされる可能性があるからである。したがって、監視タイマ稼動部４７は、総接続数が多くなるほど、監視時間を増加させ、総接続数に応じて監視時間を設定し、タイマを起動させる。
【００９０】
以上説明したように、無線通信システム１により、片方のＡＰだけに無線ＬＡＮ接続が集中することが無くなり、ＡＰ間の処理負荷が平均化され、ＡＰの処理負荷の軽減化が可能になる。
【００９１】
また、無線通信システム２では、無線エリアの重なった地点のＳＴＡの判別を行うことで、無線ＬＡＮエリアが重なったエリアのＳＴＡに対してのみ、図３〜図６で上述したような接続調整の処理を行うことができ、より正確にＡＰ間の処理負荷の平均化が実現できる。
【００９２】
（付記１）  無線信号の通信制御を行う無線通信システムにおいて、
ビーコン信号をスキャンし、捕捉できた周波数のビーコン信号を発信した局へ接続要求を送信する移動端末と、
自局の存在を示す前記ビーコン信号を発信するビーコン信号発信部と、接続完了メッセージにもとづいて、自局に現在接続している移動端末台数である自局接続台数と、他局に現在接続している移動端末台数である他局接続台数と、を管理する接続台数管理部と、前記接続要求を受信して、前記自局接続台数と前記他局接続台数による比較処理を行い、前記自局接続台数が前記他局接続台数より少ない場合は、前記移動端末との接続処理を行って、接続完了時には接続完了メッセージを生成し、前記自局接続台数が前記他局接続台数より多い場合は、前記移動端末との接続処理を拒否する接続処理部と、自局で生成された接続完了メッセージを他局へ通知し、他局から通知された接続完了メッセージを受信する局間通信部と、から構成される無線局と、
を有することを特徴とする無線通信システム。
【００９３】
（付記２）  前記接続処理部は、前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記１記載の無線通信システム。
【００９４】
（付記３）  前記接続処理部は、自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記１記載の無線通信システム。
【００９５】
（付記４）  無線信号の通信制御を行う無線局において、
自局の存在を示すビーコン信号を発信するビーコン信号発信部と、
接続完了メッセージにもとづいて、自局に現在接続している移動端末台数である自局接続台数と、他局に現在接続している移動端末台数である他局接続台数と、を管理する接続台数管理部と、
移動端末から送信された接続要求を受信して、前記自局接続台数と前記他局接続台数による比較処理を行い、前記自局接続台数が前記他局接続台数より少ない場合は、前記移動端末との接続処理を行って、接続完了時には接続完了メッセージを生成し、前記自局接続台数が前記他局接続台数より多い場合は、前記移動端末との接続処理を拒否する接続処理部と、
自局で生成された接続完了メッセージを他局へ通知し、他局から通知された接続完了メッセージを受信する局間通信部と、
を有することを特徴とする無線局。
【００９６】
（付記５）  前記接続処理部は、前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記４記載の無線局。
【００９７】
（付記６）  前記接続処理部は、自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記４記載の無線局。
【００９８】
（付記７）  無線ＬＡＮ上で、移動端末と無線局との無線接続を行う無線ＬＡＮ接続方法において、
移動端末は、
ビーコン信号をスキャンし、捕捉できた周波数のビーコン信号を発信した局へ接続要求を送信し、
無線局は、
自局の存在を示す前記ビーコン信号を発信し、
接続完了メッセージにもとづいて、自局に現在接続している移動端末台数である自局接続台数と、他局に現在接続している移動端末台数である他局接続台数と、を管理し、
前記接続要求を受信して、前記自局接続台数と前記他局接続台数による比較処理を行い、前記自局接続台数が前記他局接続台数より少ない場合は、前記移動端末との接続処理を行って、接続完了時には接続完了メッセージを生成し、
前記自局接続台数が前記他局接続台数より多い場合は、前記移動端末との接続処理を拒否し、
自局で生成された接続完了メッセージを他局へ通知し、他局から通知された接続完了メッセージを受信することを特徴とする無線ＬＡＮ接続方法。
【００９９】
（付記８）  前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記７記載の無線ＬＡＮ接続方法。
【０１００】
（付記９）  自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記７記載の無線ＬＡＮ接続方法。
【０１０１】
（付記１０）  無線信号の通信制御を行う無線通信システムにおいて、
ビーコン信号をスキャンし、捕捉できた周波数のビーコン信号を発信した局へ接続要求を送信する移動端末と、
自局の存在を示すビーコン信号を発信する第１のビーコン信号発信部と、前記移動端末から新規の接続要求を受信した場合には、新規の接続要求から前記移動端末の識別情報を取得し、かつ前記移動端末の接続を拒否し、他局から接続拒否メッセージが通知された場合には、前記移動端末の接続を拒否し、他局から通知された接続許可メッセージを受信して、かつ前記移動端末からの接続要求を再度受信した場合には、前記移動端末との接続処理を行い、接続完了時には接続完了メッセージを生成する第１の接続処理部と、前記識別情報を他局へ通知し、他局から通知された前記接続許可メッセージ及び前記接続拒否メッセージを受信する第１の局間通信部と、から構成される第１の無線局と、
自局の存在を示すビーコン信号を発信する第２のビーコン信号発信部と、前記第１の無線局から通知された前記識別情報を認識する識別情報認識部と、認識した前記識別情報を含む前記移動端末からの接続要求を、監視時間以内に受信するか否かの判断を行うための監視タイマを稼動する監視タイマ稼動部と、監視時間以内に前記識別情報を含む接続要求を受信した場合には、自局と他局のそれぞれの無線エリアが重複した無線エリア内に前記移動端末が存在するものと判断して、前記第１の無線局へ前記移動端末に対する前記接続拒否メッセージを生成し、かつ前記移動端末の接続処理指示を生成し、監視時間以内に前記識別情報を含む接続要求を受信しない場合には、前記重複した無線エリア内には前記移動端末は存在せず、前記第１の無線局の無線エリア内に前記移動端末が存在するものと判断して、前記第１の無線局へ前記移動端末に対する前記接続許可メッセージを生成し、かつ前記移動端末の接続を拒否する接続判断部と、接続完了メッセージにもとづいて、自局に現在接続している移動端末台数である自局接続台数と、他局に現在接続している移動端末台数である他局接続台数と、を管理する接続台数管理部と、前記接続処理指示を認識した後に、前記自局接続台数と前記他局接続台数による比較処理を行い、前記自局接続台数が前記他局接続台数より少ない場合は、前記移動端末との接続処理を行って、接続完了時には接続完了メッセージを生成し、前記自局接続台数が前記他局接続台数より多い場合は、前記移動端末との接続処理を拒否する第２の接続処理部と、前記第１の無線局から通知された前記識別情報を受信し、前記接続許可メッセージ及び前記接続拒否メッセージを前記第１の無線局へ通知し、自局で生成された接続完了メッセージを前記第１の無線局へ通知し、前記第１の無線局から通知された接続完了メッセージを受信する第２の局間通信部と、から構成される第２の無線局と、
を有することを特徴とする無線通信システム。
【０１０２】
（付記１１）  前記第２の接続処理部は、前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記１０記載の無線通信システム。
【０１０３】
（付記１２）  前記第２の接続処理部は、自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記１０記載の無線通信システム。
【０１０４】
（付記１３）  前記監視タイマ稼動部は、現在接続している移動端末台数に応じて、動的に監視時間を増減させることを特徴とする付記１０記載の無線通信システム。
（付記１４）  無線信号の通信制御を行う無線局において、
自局の存在を示すビーコン信号を発信するビーコン信号発信部と、
移動端末から新規の接続要求を受信した場合には、新規の接続要求から前記移動端末の識別情報を取得し、かつ前記移動端末の接続を拒否し、他局から接続拒否メッセージが通知された場合には、前記移動端末の接続を拒否し、他局から通知された接続許可メッセージを受信して、かつ前記移動端末からの接続要求を再度受信した場合には、前記移動端末との接続処理を行い、接続完了時には接続完了メッセージを生成する接続処理部と、
前記識別情報を他局へ通知し、他局から通知された前記接続許可メッセージ及び前記接続拒否メッセージを受信する局間通信部と、
を有することを特徴とする無線局。
【０１０５】
（付記１５）  無線信号の通信制御を行う無線局において、
自局の存在を示すビーコン信号を発信するビーコン信号発信部と、
他局から通知された移動端末の識別情報を認識する識別情報認識部と、
認識した前記識別情報を含む前記移動端末からの接続要求を、監視時間以内に受信するか否かの判断を行うための監視タイマを稼動する監視タイマ稼動部と、
監視時間以内に前記識別情報を含む接続要求を受信した場合には、自局と他局のそれぞれの無線エリアが重複した無線エリア内に前記移動端末が存在するものと判断して、他局へ前記移動端末に対する前記接続拒否メッセージを生成し、かつ前記移動端末の接続処理指示を生成し、監視時間以内に前記識別情報を含む接続要求を受信しない場合には、前記重複した無線エリア内には前記移動端末は存在せず、他局の無線エリア内に前記移動端末が存在するものと判断して、他局へ前記移動端末に対する前記接続許可メッセージを生成し、かつ前記移動端末の接続を拒否する接続判断部と、
接続完了メッセージにもとづいて、自局に現在接続している移動端末台数である自局接続台数と、他局に現在接続している移動端末台数である他局接続台数と、を管理する接続台数管理部と、
前記接続処理指示を認識した後に、前記自局接続台数と前記他局接続台数による比較処理を行い、前記自局接続台数が前記他局接続台数より少ない場合は、前記移動端末との接続処理を行って、接続完了時には前記接続完了メッセージを生成し、前記自局接続台数が前記他局接続台数より多い場合は、前記移動端末との接続処理を拒否する接続処理部と、
他局から通知された前記識別情報を受信し、前記接続許可メッセージ及び前記接続拒否メッセージを他局へ通知し、自局で生成された前記接続完了メッセージを他局へ通知し、他局から通知された前記接続完了メッセージを受信する局間通信部と、
を有することを特徴とする無線局。
【０１０６】
（付記１６）  前記接続処理部は、前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記１５記載の無線局。
【０１０７】
（付記１７）  前記接続処理部は、自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記１５記載の無線局。
【０１０８】
（付記１８）  前記監視タイマ稼動部は、現在接続している移動端末台数に応じて、動的に監視時間を増減させることを特徴とする付記１５記載の無線局。
（付記１９）  無線ＬＡＮ上で、移動端末と無線局との無線接続を行う無線ＬＡＮ接続方法において、
移動端末は、
ビーコン信号をスキャンし、捕捉できた周波数のビーコン信号を発信した局へ接続要求を送信し、
第１の無線局は、
自局の存在を示す前記ビーコン信号を発信し、
前記移動端末から新規の接続要求を受信した場合には、新規の接続要求から前記移動端末の識別情報を取得し、かつ前記移動端末の接続を拒否し、
他局から接続拒否メッセージが通知された場合には、前記移動端末の接続を拒否し、
他局から通知された接続許可メッセージを受信して、かつ前記移動端末からの接続要求を再度受信した場合には、前記移動端末との接続処理を行い、接続完了時には接続完了メッセージを生成し、
前記識別情報を他局へ通知し、他局から通知された前記接続許可メッセージ及び前記接続拒否メッセージを受信し、
第２の無線局は、
自局の存在を示すビーコン信号を発信し、
前記第１の無線局から通知された前記識別情報を認識し、
認識した前記識別情報を含む前記移動端末からの接続要求を、監視時間以内に受信するか否かの判断を行うための監視タイマを稼動し、
監視時間以内に前記識別情報を含む接続要求を受信した場合には、自局と他局のそれぞれの無線エリアが重複した無線エリア内に前記移動端末が存在するものと判断して、前記第１の無線局へ前記移動端末に対する前記接続拒否メッセージを生成し、かつ前記移動端末の接続処理指示を生成し、
監視時間以内に前記識別情報を含む接続要求を受信しない場合には、前記重複した無線エリア内には前記移動端末は存在せず、前記第１の無線局の無線エリア内に前記移動端末が存在するものと判断して、前記第１の無線局へ前記移動端末に対する前記接続許可メッセージを生成し、かつ前記移動端末の接続を拒否し、
接続完了メッセージにもとづいて、自局に現在接続している移動端末台数である自局接続台数と、他局に現在接続している移動端末台数である他局接続台数と、を管理し、
前記接続処理指示を認識した後に、前記自局接続台数と前記他局接続台数による比較処理を行い、前記自局接続台数が前記他局接続台数より少ない場合は、前記移動端末との接続処理を行って、接続完了時には接続完了メッセージを生成し、
前記自局接続台数が前記他局接続台数より多い場合は、前記移動端末との接続処理を拒否し、
前記第１の無線局から通知された前記識別情報を受信し、前記接続許可メッセージ及び前記接続拒否メッセージを前記第１の無線局へ通知し、自局で生成された接続完了メッセージを前記第１の無線局へ通知し、前記第１の無線局から通知された接続完了メッセージを受信することを特徴とする無線ＬＡＮ接続方法。
【０１０９】
（付記２０）  前記自局接続台数と前記他局接続台数との差を示す接続台数差と、しきい値とを含む比較テーブルを有し、前記しきい値は、前記接続台数差にもとづき、自局があらたに接続可能な台数を表す値に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局と他局の処理負荷が平均化するように、前記移動端末の接続処理を行うことを特徴とする付記１９記載の無線ＬＡＮ接続方法。
【０１１０】
（付記２１）  自局が現在接続している移動端末台数の総接続数と、前記自局接続台数と前記他局接続台数との差を示す接続台数差と、しきい値とを含む比較テーブルを有し、前記しきい値は、前記接続台数差にもとづき、自局があらたに接続可能な台数を表す値を、前記総接続数毎に動的に設定し、前記比較処理として、前記しきい値よりも前記接続台数差が小さい場合は前記移動端末の接続を行い、前記しきい値よりも前記接続台数差が大きい場合は前記移動端末の接続を拒否して、自局の処理負荷の範囲内に収まるように、前記移動端末の接続処理を行うことを特徴とする付記１９記載の無線ＬＡＮ接続方法。
【０１１１】
（付記２２）  現在接続している移動端末台数に応じて、動的に監視時間を増減させることを特徴とする付記１９記載の無線ＬＡＮ接続方法。
【図面の簡単な説明】
【０１１２】
【図１】無線通信システムの原理図である。
【図２】無線通信システムの全体動作を示すフローチャートである。
【図３】比較テーブルを示す図である。
【図４】接続処理部の接続処理動作を示すフローチャートである。
【図５】比較テーブルを示す図である。
【図６】接続処理部の接続処理動作を示すフローチャートである。
【図７】無線通信システムの構成を示す図である。
【図８】無線通信システムの全体動作を示すフローチャートである。
【図９】ＳＴＡの移動の様子を示す図である。
【図１０】監視時間テーブルを示す図である。
【図１１】無線ＬＡＮの接続動作を示す図である。
【図１２】問題点を説明するための図である。
【図１３】問題点を説明するための図である。
【図１４】問題点を説明するための図である。
【符号の説明】
【０１１３】
１  無線通信システム
１０  移動端末（ＳＴＡ）
２０−１、２０−２  無線局（ＡＰ）
２１  Ｉ／Ｆ部
２２  ビーコン信号発信部
２３  接続台数管理部
２４  接続処理部
２５  局間通信部
ＮＷ  有線ネットワーク
【手続補正３】
【補正対象書類名】図面
【補正対象項目名】図３
【補正方法】変更
【補正の内容】
【図３】
2006128835.tif 000017
【手続補正４】
【補正対象書類名】図面
【補正対象項目名】図５
【補正方法】変更
【補正の内容】
【図５】
2006128835.tif 000018